(57)【特許請求の範囲】
【請求項１】
基材上に、少なくとも一つの不可視画像を有する第１の不可視情報、第２の不可視情報及び第３の不可視情報が埋め込まれた可視画像を有する印刷模様を形成し、
前記印刷模様は、第１の画線Ａ１、第２の画線Ｂ１、第３の画線Ａ１’、第４の画線Ｂ１’、第５の画線Ｃ、第６の画線Ｄ、第１０の画線Ａ２、第１１の画線Ｂ２、第１２の画線Ａ２’及び第１３の画線Ｂ２’の少なくとも一つの画線から成り、
前記第１の不可視情報及び前記可視画像は、Ｉ）乃至ＩＩＩ）のいずれか一つによって形成され、
前記Ｉ）は、一定のピッチで中心を境に対向するように配置された前記第１の画線Ａ１及び／又は前記第１０の画線Ａ２と、前記第３の画線Ａ１’及び／又は前記第１２の画線Ａ２’の画線が存在しない領域に配置された前記第５の画線Ｃがユニット内に形成され、
前記ユニットは一定のピッチで前記第１の方向及び前記第１の方向と直交する第２の方向にマトリックス状に配置されており、前記ユニットのピッチの１／２又は略１／２のピッチで前記第１の画線Ａ１及び／又は前記第１０の画線Ａ２と、前記第３の画線Ａ１’及び／又は前記第１２の画線Ａ２’の画線が形成され、各々の前記ユニットにおける前記第１の画線Ａ１及び／又は前記第１０の画線Ａ２と、前記第３の画線Ａ１’及び／又は前記第１２の画線Ａ２’の画線は、いずれか一方がオンの場合、他方がオフの関係にあり、かつ、面積が同一又は略同一であり、
前記第１の画線Ａ１及び／又は前記第１０の画線Ａ２により第１の不可視画像５ａのポジ画像又はネガ画像のいずれか一方が形成され、前記第３の画線Ａ１’及び／又は前記第１２の画線Ａ２’の画線により前記第１の不可視画像５ａのネガ画像又はポジ画像の他方が形成され、前記第５の画線Ｃにより可視画像が形成され、
前記ＩＩ）は、第２の前記画線Ｂ１及び／又は前記第１１の画線Ｂ２、前記第４の画線Ｂ１’及び／又は前記第１３の画線Ｂ２’、前記第５の画線Ｃを有し、
第２の方向に沿って、一定のピッチで中心を境に対向するように配置された第２の前記画線Ｂ１及び／又は前記第１１の画線Ｂ２と、前記第４の画線Ｂ１’及び／又は前記第１３の画線Ｂ２’が存在しない領域に配置された前記第５の画線Ｃがユニット内に形成され、
前記ユニットは一定のピッチで前記第１の方向及び前記第１の方向と直交する第２の方向にマトリックス状に配置されており、前記ユニットのピッチの１／２又は略１／２のピッチで前記画線Ｂ１及び／又は前記第１１の画線Ｂ２、前記第４の画線Ｂ１’及び／又は前記第１３の画線Ｂ２’が形成され、各々の前記ユニットにおける前記第２の画線Ｂ１及び／又は第１１の前記画線Ｂ２と、前記第４の画線Ｂ１’及び／又は前記第１３の画線Ｂ２’は、いずれか一方がオンの場合、他方がオフの関係にあり、かつ、面積が同一又は略同一であり、
前記第２の画線Ｂ１及び／又は前記第１１の画線Ｂ２により第２の不可視画像５ｂのポジ画像又はネガ画像のいずれか一方が形成され、前記第４の画線Ｂ１’及び／又は前記第１３の画線Ｂ２’により前記第２の不可視画像５ｂのネガ画像又はポジ画像の他方が形成され、前記第５の画線Ｃにより可視画像が形成され、又は、
前記ＩＩＩ）は、前記第１の画線Ａ１及び／又は前記第１０の画線Ａ２と、前記第３の画線Ａ１’及び／又は前記第１２の画線Ａ２’と、前記第２の画線Ｂ１及び／又は前記第１１の画線Ｂ２と、前記第４の画線Ｂ１’及び／又は前記第１３の画線Ｂ２’と、前記第５の画線Ｃとを有し、
第１の方向に沿って、一定のピッチで中心を境に対向するように前記第１の画線Ａ１及び／又は前記第１０の画線Ａ２と、前記第３の画線Ａ１’及び／又は前記第１２の画線Ａ２’と、前記第１の方向と直交する第２の方向に沿って、一定のピッチで中心を境に対向するように配置された前記第２の画線Ｂ１及び／又は前記第１１の画線Ｂ２と、前記第４の画線Ｂ１’及び／又は前記第１３の画線Ｂ２’とにおいて、前記第１の画線Ａ１及び／又は前記第１０の画線Ａ２と、前記第３の画線Ａ１’及び／又は前記第１２の画線Ａ２’と、前記第２の画線Ｂ１及び／又は前記第１１の画線Ｂ２と、前記第４の画線Ｂ１’及び／又は前記第１３の画線Ｂ２’との画線が存在しない領域に配置された前記第５の画線Ｃがユニット内に形成され、前記ユニットは一定のピッチで前記第１の方向及び前記第１の方向と直交する第２の方向にマトリックス状に配置されており、前記ユニットのピッチの１／２又は略１／２のピッチで前記第１の画線Ａ１及び／又は前記第１０の画線Ａ２と、前記第３の画線Ａ１’及び／又は前記第１２の画線Ａ２’の画線が形成され、前記ユニットのピッチの１／２又は略１／２のピッチで前記第２の画線Ｂ１及び／又は前記第１１の画線Ｂ２と、前記第４の画線Ｂ１’及び／又は前記第１３の画線Ｂ２’が形成され、各々の前記ユニットにおける前記第１の画線Ａ１及び／又は前記第１０の画線Ａ２と、前記第３の画線Ａ１’及び／又は前記第１２の画線Ａ２’は、いずれか一方がオンの場合、他方がオフの関係にあり、かつ、面積が同一又は略同一であり、前記第２の画線Ｂ１及び／又は前記第１１の画線Ｂ２と、前記第４の画線Ｂ１’及び／又は前記第１３の画線Ｂ２’は、いずれか一方がオンの場合、他方がオフの関係にあり、かつ、面積が同一又は略同一であり、前記第１の画線Ａ１及び／又は前記第１０の画線Ａ２により第１の不可視画像５ａのポジ画像又はネガ画像のいずれか一方が形成され、前記第３の画線Ａ１’及び／又は前記第１２の画線Ａ２’により前記第１の不可視画像５ａのネガ画像又はポジ画像の他方が形成され、前記第２の画線Ｂ１及び／又は前記第１１の画線Ｂ２により第２の不可視画像５ｂのポジ画像又はネガ画像のいずれか一方が形成され、前記第４の画線Ｂ１’及び／又は前記第１３の画線Ｂ２’により前記第２の不可視画像５ｂのネガ画像又はポジ画像の他方が形成され、前記第５の画線Ｃにより可視画像が形成され、
前記第３の不可視情報は、前記第６の画線Ｄによって、埋め込むべき情報に応じた周波数成分が抽出されるように設定された所定の間隔を有する同心形万線で形成され、
前記第２の不可視情報は、可視光の波長領域で等色として視認され、かつ、光学特性の異なる第１の色材及び第２の色材により形成され、前記第１の色材によって、前記第１の不可視情報、前記可視画像及び前記第３の不可視情報を形成する画線のうち、前記第１の画線Ａ１、前記第２の画線Ｂ１、前記第３の画線Ａ１’、前記第４の画線Ｂ１’、前記第５の画線Ｃ及び前記第６の画線Ｄが形成され、前記第２の色材によって、前記第１の不可視情報を形成する画線のうち、前記第１０の画線Ａ２、前記第１１の画線Ｂ２、前記第１２の画線Ａ２’及び前記第１３の画線Ｂ２’が形成されたことを特徴とする偽造防止用印刷物。
【請求項２】
前記第１の不可視画像５ａを形成するために配置された前記第１の画線Ａ１及び／又は前記第１０の画線Ａ２と、前記第３の画線Ａ１’及び／又は前記第１２の画線Ａ２’のうち、前記第１の方向に隣接して本来配置される位置及び複数隣接して配置されたユニットのうち、オフとなっている部分が隣接して配置されている位置に、前記所定の領域における濃度の不均衡を緩和するため、前記第１の画線Ａ１及び／又は前記第１０の画線Ａ２と、前記第３の画線Ａ１’及び／又は前記第１２の画線Ａ２’とにおける半分の画線面積率、かつ、前記第１の色材で構成した第７の画線ａ１及び／又は前記第１の色材で構成した第９の画線Ｅ１と、前記第２の色材で構成した第１４の画線ａ２及び／又は前記第２の色材で構成した第１６の画線Ｅ２とが、前記第１の画線Ａ１及び／又は前記第１０の画線Ａ２と、前記第３の画線Ａ１’及び／又は前記第１２の画線Ａ２’とに挟まれ、
前記第２の不可視画像５ｂを形成するために配置された前記第２の画線Ｂ１及び／又は前記第１１の画線Ｂ２と、前記第４の画線Ｂ１’及び／又は前記第１３の画線Ｂ２’のうち、前記第２の方向に隣接して本来配置される位置及び複数隣接して配置されたユニットのうち、オフとなっている部分が隣接して配置されている位置に、前記所定の領域における濃度の不均衡を緩和するため、前記第２の画線Ｂ１及び／又は前記第１１の画線Ｂ２と、前記第４の画線Ｂ１’及び／又は前記第１３の画線Ｂ２’とにおける半分の画線面積率、かつ、前記第１の色材で構成した第８の画線ｂ１及び／又は前記第１の色材で構成した第９の画線Ｅ１と、前記第２の色材で構成した第１５の画線ｂ２及び／又は前記第２の色材で構成した第１６の画線Ｅ２とが、前記第２の画線Ｂ１及び／又は前記第１１の画線Ｂ２と、前記第４の画線Ｂ１’及び／又は前記第１３の画線Ｂ２’とに挟まれるように配置されていること特徴とする請求項１記載の偽造防止用印刷物。
【請求項３】
前記第６の画線Ｄは、前記第１の色材のうち、前記第５の画線Ｃで形成される所定の明度を有するインキよりも、明度が高いインキで形成されたことを特徴とする請求項１又は２記載の偽造防止用印刷物。
【請求項４】
前記第５の画線Ｃは、画線の大小、画線の濃淡及び画線の疎密から選択される少なくとも一つの方法によって連続階調から成る可視画像が形成され、
前記第６の画線Ｄは、所定の間隔を有する同心形万線の画線領域としてそれぞれ画線の中心線において、それぞれの画線の中心線から中心線の間隔が常に同じ距離が保たれ、それぞれの画線領域において内側と外側に所定の画線面積率となるような距離を設けられ、前記同心形万線の画線幅を連続的に違えることによって連続階調から成る可視画像が形成されていることを特徴とする請求項１乃至３のいずれか一項記載の偽造防止用印刷物。
【請求項５】
前記光学特性の異なる第１の色材及び第２の色材のいずれか一方は赤外線吸収特性を含む色材であり、他方は赤外線吸収特性を含まない色材であることを特徴とする請求項１乃至４記載のいずれか一項記載の偽造防止用印刷物。
【請求項６】
前記赤外線吸収特性を含む色材は、ブラック（Ｂｋ）インキであり、前記赤外線吸収特性を含まない色材は、シアン（Ｃ）インキ、マゼンタ（Ｍ）インキ及びイエロー（Ｙ）インキであり、
前記第１の画線Ａ１、前記第２の画線Ｂ１、前記第３の画線Ａ１’及び前記第４の画線Ｂ１’は、シアン（Ｃ）インキ、マゼンタ（Ｍ）インキ及びイエロー（Ｙ）インキの減法混色によって混合されたインキで構成され、
前記第５の画線Ｃは、シアン（Ｃ）インキ及びマゼンタ（Ｍ）インキで形成され、前記第６の画線Ｄは、イエロー（Ｙ）インキで形成されたことを特徴とする請求項５記載の偽造防止用印刷物。
【請求項７】
前記第７の画線ａ１、前記第８の画線ｂ１及び前記第９の画線Ｅ１は、シアン（Ｃ）インキ、マゼンタ（Ｍ）インキ及びイエロー（Ｙ）インキの減法混色によって混合されたインキで形成されたことを特徴とする請求項２乃至６記載のいずれか一項記載の偽造防止用印刷物。
【請求項８】
前記ユニットにおける一辺の長さが１ｍｍ以下であることを特徴とする請求項１乃至７のいずれか一項記載の偽造防止用印刷物。
【請求項９】
前記第６の画線Ｄにおける前記同心形万線が配置される領域は、下記に示すＩＶ）乃至ＶＩ）のいずれか一つによって形成され、
前記ＩＶ）は、前記同心形万線が配置される領域が複数分割され、前記複数に分割された各領域は、同一の中心点を共有する同心形万線が形成され、前記複数分割された各領域の同心形万線の画線の間隔は、前記領域ごとに異なる、
前記Ｖ）は、前記同心形万線が配置される領域が複数分割され、前記複数に分割された各領域は、前記領域ごとに異なる中心点を有して同心形万線が形成され、前記複数分割された各領域の同心形万線の画線の間隔は、前記領域ごとに異なる、又は、
前記ＶＩ）は、前記同心形万線が配置される領域がリング状に複数分割され、前記複数に分割された各領域は、同一の中心点を共有する同心形万線が形成され、前記複数に分割された各領域の境界において、隣り合う一方の前記領域に備わる同心形万線の間隔と、他方の前記領域に備わる同心形万線の間隔との平均値からなる補間領域が設けられ、前記境界において同心形万線の連続性が保たれていることを特徴とする請求項１乃至８のいずれか一項記載の偽造防止用印刷物。
【請求項１０】
前記同心形万線の前記第６の画線Ｄの間隔が、前記ユニットの寸法よりも小さく、かつ、５０μｍ〜３５０μｍであることを特徴とする請求項１乃至９のいずれか一項記載の偽造防止用印刷物。
【発明の詳細な説明】
【技術分野】
【０００１】
本発明は、銀行券、株券、債券等の有価証券、各種証明書及び重要書類等の偽造防止又は複製防止が必要とされる偽造防止用印刷物に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴って、証明書類の偽造防止策も高度化することによって対応してきた。しかし、その一方で、偽造防止策に費やす製造コストが高く、偽造防止効果を確認する環境を得るために、特殊な機械器具から成る専用設備を導入する等、真偽判定において高コストとなる場合があった。
【０００３】
低コストで真偽判定を可能にする有用な方法に、印刷物上に判別具を重ねて真偽判定を行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）や、レンチキュラーレンズ等が挙げられる。この判別具を用いて不可視画像を発現させる技術は、主に二種類の方法があり、点位相変調（Dot phase modulation）と線位相変調（Line phase modulation）とが存在する。
【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認することができる方法が知られている。
【０００５】
点位相変調（Dot phase modulation）の一例としては、第１の方向と第２の方向に位相変調されたパターンが形成された印刷物と、当該印刷物の第１の方向と万線状フィルタの万線状パターンの方向とを一致するように万線状フィルタを重ね合わせることにより形成される第１の多階調画像と、万線状フィルタの重ね合わせる角度を印刷物の第２の方向に一致するように変えると第２の多階調画像が形成された印刷物及び画像形成法がある（例えば、特許文献１参照）。
【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより不可視画像と異なる画像が発現する印刷物がある（例えば、特許文献２参照）。
【０００７】
また、海外の点位相変調（Dot phase modulation）の一例としては、アストロン・デザイン社（オランダ）のイソグラム（Isogram）がある（例えば、非特許文献１３４０頁参照）。これは、一見して均一な濃度を有する平たんな模様の中に、拡大すると微細な網点の位相によって不可視画像が施され、印刷物上に専用のシートを重ねるとネガポジ状のどちらかに可視画像化された不可視画像が現れる。しかし、これは、均一な濃度を有する平たんな模様故に、鮮明に画像を発現させることができない。
【０００８】
また、本出願人等は、点位相変調（Dot phase modulation）を用いた印刷物に関する特許出願を行っている。これは、基材上に複数の等色の画素が規則的に配列されて二つの潜像模様が形成された潜像印刷物であって、複数の画素において、第１の方向に位相をずらして配列された第１の領域による第１の潜像模様（不可視画像）と、機能性を有するインキにより印刷された第２の領域による第２の潜像模様（不可視画像）とを有するものである（例えば、特許文献３参照）。
【０００９】
線位相変調（Line phase modulation）の一例としては、基材上に、線部と非線部を有し、同一ピッチ及び幅から成る万線パターンに対し、万線位相を１／２ピッチずらして形成された潜像部を備えている複数種の潜像万線パターンが、それぞれ異なる角度で重ね合わせて印刷された潜像を有する印刷物であって、複数種の潜像万線パターンがそれぞれ色違いであることを特徴とする印刷物と、印刷物の万線パターンと同一ピッチのフィルムを複数種の不可視画像に重ね合わせることにより潜像部を可視画像化されたものがある（例えば、特許文献４参照）。
【００１０】
また、海外の線位相変調（Line phase modulation）を用いた印刷物には、ユラ社（ハンガリー）のＨＩＴ（Hidden Image Technology）がある（非特許文献１３４１頁参照）。一見して均一な濃度を有する平たんな模様の中に、微細な万線の位相によって不可視画像が施され、印刷物上に専用のシートを重ねると、ネガポジ状のどちらかに可視画像化された不可視画像が現れる。なお、この方法では通常視でも不可視画像が確認できてしまうおそれがあるため、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カモフラージュ模様も可視画像として同時に発現しているので、不可視画像の発現時の視認性を阻害するという問題がある。
【００１１】
また、一般的に、点位相変調（Dot phase modulation）又は線位相変調（Line phase modulation）により形成された模様は、平たんな形状となっている。
【００１２】
また、本願発明者らは、第１の方向に沿って、中心を境に対向するように配置された第１の画線及び第２の画線と、第１の方向と直交する第２の方向に沿って、中心を境に対向するように配置された第３の画線及び第４の画線とを有する画線要素が、一定のピッチで複数マトリックス状に配置されており、各々の画線要素における第１の画線と第２の画線、第３の画線と第４の画線は、ネガポジの関係にあり、第１の画線又は第２の画線により第１の不可視画像が形成され、第３の画線又は第４の画線により第２の不可視画像が形成されることを特徴とする偽造防止用印刷物を既に出願している（例えば、特許文献５参照）。
【００１３】
この特許文献５による偽造防止用印刷物は、通常の観察において可視画像を設けることが可能で豊かなデザイン性と、簡易な判別具における潜像の高い視認性を有し、低コストで製造できるという優れた効果があるものの、高解像度なハードコピーにおける偽造防止策としては不十分であった。
【００１４】
また、本願発明者らは、高解像度なハードコピーにおける偽造防止策として、１つの第１の領域と、前記第１の領域に隣接する１つの第２の領域とが複数組配置され、各々の前記第２の領域の周囲が、複数の前記第１の領域に囲まれ、前記第１の小域は、前記第２の領域より面積が大きく、前記第２の領域は赤外線吸収色素を含むブラックインキを用いて構成された第２ａの領域と赤外線吸収色素を含まないインキを用いて構成された黒色系である第２ｂの領域とを有し、各々の前記第２の領域における前記第２ａの領域と前記第２ｂの領域との比率に応じて、複数の前記第２の領域における前記第２ａの領域により階調画像が形成されていることを特徴とする網点印刷物を既に出願している（例えば、特許文献６参照）。
【００１５】
さらに、本願発明者らは、特定の波長において吸収する又は発光する第１の色材で印刷した第１の線画と、前記特定の波長において吸収しない又は発光しない可視光下では第１の色材と同色に見える第２の色材で印刷した第２の線画で構成され、前記第１の線画と前記第２の線画はそれぞれ画線幅の違う背景領域と潜像領域で構成され、前記第２の線画の潜像領域は前記第１の線画の潜像領域と形状及び大きさが等しく、前記第１の線画と前記第２の線画が重なり、背景領域と潜像領域の濃度が等しいことを特徴とする偽造防止印刷物を既に出願している（例えば、特許文献７参照）。
【００１６】
この特許文献６及び７による印刷物は、高解像度なハードコピーにおける偽造防止策として優れた効果があるものの、特定の波長において吸収する又は発光する色材、例えば赤外線吸収色素の有無を判別するという特殊性から、判別具が光学系機械部品又は特定の電磁波を受信する機械部品で構成した特殊な装置となるため、特許文献１乃至６にあるような簡易な判別ができないという問題がある。
【００１７】
一方、印刷物の生産コストを特に考慮しない方法としては、可視できる一般印刷用のインキのような印刷材料が適用可能な印刷物上の模様に対する光学読み取り方法がある。比較的に容易な光学読み取り方法としては、ＯＣＲ、ＯＭＲ、バーコード、二次元コード等が公知であるが、これらの光学読み取り方法で用いられる図形は何ら意匠性を備えておらず、既存製品に用いる場合は、デザイン、仕様の変更が要求される。
【００１８】
また、これらの光学読み取り方法は広く市中に出回っている方法でもあり、符号が印刷画線として可視できるため、解読、改ざんの危険性も予想され、偽造、変造防止策として用いるには不十分である。
【００１９】
さらに、同じく光学読み取り方法でデザイン等の意匠性を変えずに読み取り用情報を付与する方法として、一般に電子すかしと呼ばれる一連の技術がある。電子すかしは、コンシールドイメージ、デジタルすかしとも呼ばれ、主な用途として、高機能化したコピー技術やＤＴＰ技術におけるドキュメント・ファイルもしくはその印刷物に著作権情報を埋め込む技術である。印刷物における公知の代表的な技術としては、周波数利用型と呼ばれる方法がある。
【００２０】
電子すかしは複製物においてもその周波数特性の劣化が少ないと言われ、最近では著作権保護の目的でインターネット上に配信されるデジタルイメージに施されることが多い。また、印刷物においてもその効果を奏することから、ポスターなどに利用されることも多くなってきた。
【００２１】
電子すかしが最も効果を発揮できるのは、連続階調（写真階調）模様である。連続階調（写真階調）模様は多値画像データであるから、十分な冗長度が存在するので周波数利用型に限らず画素置換型、画素空間利用型、量子化誤差拡散型等の多くの方法が提案され、文献、特許出願も数多く、今日注目を集めている技術の一つである。
【００２２】
しかしながら、電子すかしの多くは一般商業印刷の画像分解能を対象に設計されているため、複製物においては元の情報がそのままコピーされるという特徴があり、複製物の著作権を示すための施策としては適しているが、オリジナルとコピーを区別することはできず、物品を真贋判定する技術としては不十分である。
【００２３】
そこで、本発明者らは、「真偽判別可能な印刷物及び判別方法、並びに該印刷物への情報の埋め込み方法」（特許文献８）、「真偽判別可能な印刷物及びその作成方法」（特許文献９）及び「印刷物、該印刷物の検知方法及び検知装置、並びに認証方法及び認証装置」（特許文献１０）により、地紋、彩紋模様のような自由な曲線群から成る印刷画線を、機械的に識別することを特徴とする印刷物を既に出願している。しかし、これらの発明は線表現による彩紋模様などに適用される技術であるため、連続階調（写真階調）模様に適用することはできない。
【先行技術文献】
【特許文献】
【００２４】
【特許文献１】特許第４１３２１２２号公報
【特許文献２】特許第４０１３４５０号公報
【特許文献３】特開２００８−２０７３３５号公報
【特許文献４】特許第４４１５５４２号公報
【特許文献５】特許第４６３５１６０号公報
【特許文献６】特許第３５４４５３６号公報
【特許文献７】特許第４４４１６３４号公報
【特許文献８】特開２００３−２００６４７号公報
【特許文献９】特許第４０８２４４８号公報
【特許文献１０】ＷＯ２００６／１０６６７７号公報
【非特許文献】
【００２５】
【非特許文献１】Optical Security and Counterfeit Deterrence Techniques IV Vol.4677 (by SPIE-The International Society for Optical Engineering )
【発明の開示】
【発明が解決しようとする課題】
【００２６】
偽造防止を必要とされる印刷物は、複写、複製、改ざん等などのあらゆる場面での偽造に抵抗し得る機能性が求められるが、限られた印刷面積において様々な真偽判別手段にて真偽判別を可能にする偽造防止用印刷画線はなく、用途・目的に応じた偽造防止用印刷画線の印刷領域を、限られた印刷面積の中で用途・目的別に複数備える必要があった。また、用途・目的に応じた偽造防止用印刷画線の印刷領域を複数備えることにより高コストとなる場合があった。これにより、限られた印刷面積の中で複数の偽造防止策が共有でき、ユーザーの仕様環境や立場に応じた真偽判別手段が選択できる偽造防止用印刷物が望まれていた。
【課題を解決するための手段】
【００２７】
本発明は、基材上に、少なくとも一つの不可視画像を有する第１の不可視情報、第２の不可視情報及び第３の不可視情報が埋め込まれた可視画像を有する印刷模様を形成し、前記印刷模様は、第１の画線Ａ１、第２の画線Ｂ１、第３の画線Ａ１’、第４の画線Ｂ１’、第５の画線Ｃ、第６の画線Ｄ、第１０の画線Ａ２、第１１の画線Ｂ２、第１２の画線Ａ２’及び第１３の画線Ｂ２’から成り、前記第１の不可視情報及び前記可視画像は、Ｉ）乃至ＩＩＩ）のいずれか一つによって形成され、前記Ｉ）は、一定のピッチで中心を境に対向するように配置された前記第１の画線Ａ１及び／又は前記第１０の画線Ａ２と、前記第３の画線Ａ１’及び／又は前記第１２の画線Ａ２’の画線が存在しない領域に配置された前記第５の画線Ｃがユニット内に形成され、前記ユニットは一定のピッチで前記第１の方向及び前記第１の方向と直交する第２の方向にマトリックス状に配置されており、前記ユニットのピッチの１／２又は略１／２のピッチで前記第１の画線Ａ１及び／又は前記第１０の画線Ａ２と、前記第３の画線Ａ１’及び／又は前記第１２の画線Ａ２’の画線が形成され、各々の前記ユニットにおける前記第１の画線Ａ１及び／又は前記第１０の画線Ａ２と、前記第３の画線Ａ１’及び／又は前記第１２の画線Ａ２’の画線は、いずれか一方がオンの場合、他方がオフの関係にあり、かつ、面積が同一又は略同一であり、前記第１の画線Ａ１及び／又は前記第１０の画線Ａ２により第１の不可視画像５ａのポジ画像又はネガ画像のいずれか一方が形成され、前記第３の画線Ａ１’及び／又は前記第１２の画線Ａ２’の画線により前記第１の不可視画像５ａのネガ画像又はポジ画像の他方が形成され、前記第５の画線Ｃにより可視画像が形成され、前記ＩＩ）は、第２の前記画線Ｂ１及び／又は前記第１１の画線Ｂ２、前記第４の画線Ｂ１’及び／又は前記第１３の画線Ｂ２’、前記第５の画線Ｃを有し、第２の方向に沿って、一定のピッチで中心を境に対向するように配置された第２の前記画線Ｂ１及び／又は前記第１１の画線Ｂ２と、前記第４の画線Ｂ１’及び／又は前記第１３の画線Ｂ２’が存在しない領域に配置された前記第５の画線Ｃがユニット内に形成され、前記ユニットは一定のピッチで前記第１の方向及び前記第１の方向と直交する第２の方向にマトリックス状に配置されており、前記ユニットのピッチの１／２又は略１／２のピッチで前記画線Ｂ１及び／又は前記第１１の画線Ｂ２、前記第４の画線Ｂ１’及び／又は前記第１３の画線Ｂ２’が形成され、各々の前記ユニットにおける前記第２の画線Ｂ１及び／又は第１１の前記画線Ｂ２と、前記第４の画線Ｂ１’及び／又は前記第１３の画線Ｂ２’は、いずれか一方がオンの場合、他方がオフの関係にあり、かつ、面積が同一又は略同一であり、前記第２の画線Ｂ１及び／又は前記第１１の画線Ｂ２により第２の不可視画像５ｂのポジ画像又はネガ画像のいずれか一方が形成され、前記第４の画線Ｂ１’及び／又は前記第１３の画線Ｂ２’により前記第２の不可視画像５ｂのネガ画像又はポジ画像の他方が形成され、前記第５の画線Ｃにより可視画像が形成され、又は、前記ＩＩＩ）は、前記第１の画線Ａ１及び／又は前記第１０の画線Ａ２と、前記第３の画線Ａ１’及び／又は前記第１２の画線Ａ２’と、前記第２の画線Ｂ１及び／又は前記第１１の画線Ｂ２と、前記第４の画線Ｂ１’及び／又は前記第１３の画線Ｂ２’と、前記第５の画線Ｃとを有し、第１の方向に沿って、一定のピッチで中心を境に対向するように前記第１の画線Ａ１及び／又は前記第１０の画線Ａ２と、前記第３の画線Ａ１’及び／又は前記第１２の画線Ａ２’と、前記第１の方向と直交する第２の方向に沿って、一定のピッチで中心を境に対向するように配置された前記第２の画線Ｂ１及び／又は前記第１１の画線Ｂ２と、前記第４の画線Ｂ１’及び／又は前記第１３の画線Ｂ２’とにおいて、前記第１の画線Ａ１及び／又は前記第１０の画線Ａ２と、前記第３の画線Ａ１’及び／又は前記第１２の画線Ａ２’と、前記第２の画線Ｂ１及び／又は前記第１１の画線Ｂ２と、前記第４の画線Ｂ１’及び／又は前記第１３の画線Ｂ２’との画線が存在しない領域に配置された前記第５の画線Ｃがユニット内に形成され、前記ユニットは一定のピッチで前記第１の方向及び前記第１の方向と直交する第２の方向にマトリックス状に配置されており、前記ユニットのピッチの１／２又は略１／２のピッチで前記第１の画線Ａ１及び／又は前記第１０の画線Ａ２と、前記第３の画線Ａ１’及び／又は前記第１２の画線Ａ２’の画線が形成され、前記ユニットのピッチの１／２又は略１／２のピッチで前記第２の画線Ｂ１及び／又は前記第１１の画線Ｂ２と、前記第４の画線Ｂ１’及び／又は前記第１３の画線Ｂ２’が形成され、各々の前記ユニットにおける前記第１の画線Ａ１及び／又は前記第１０の画線Ａ２と、前記第３の画線Ａ１’及び／又は前記第１２の画線Ａ２’は、いずれか一方がオンの場合、他方がオフの関係にあり、かつ、面積が同一又は略同一であり、前記第２の画線Ｂ１及び／又は前記第１１の画線Ｂ２と、前記第４の画線Ｂ１’及び／又は前記第１３の画線Ｂ２’は、いずれか一方がオンの場合、他方がオフの関係にあり、かつ、面積が同一又は略同一であり、前記第１の画線Ａ１及び／又は前記第１０の画線Ａ２により第１の不可視画像５ａのポジ画像又はネガ画像のいずれか一方が形成され、前記第３の画線Ａ１’及び／又は前記第１２の画線Ａ２’により前記第１の不可視画像５ａのネガ画像又はポジ画像の他方が形成され、前記第２の画線Ｂ１及び／又は前記第１１の画線Ｂ２により第２の不可視画像５ｂのポジ画像又はネガ画像のいずれか一方が形成され、前記第４の画線Ｂ１’及び／又は前記第１３の画線Ｂ２’により前記第２の不可視画像５ｂのネガ画像又はポジ画像の他方が形成され、前記第５の画線Ｃにより可視画像が形成され、前記第３の不可視情報は、前記第６の画線Ｄによって、埋め込むべき情報に応じた周波数成分が抽出されるように設定された所定の間隔を有する同心形万線で形成され、前記第２の不可視情報は、可視光の波長領域で等色として視認され、かつ、光学特性の異なる第１の色材及び第２の色材により形成され、前記第１の色材によって、前記第１の不可視情報、前記可視画像及び前記第３の不可視情報を形成する画線のうち、前記第１の画線Ａ１、前記第２の画線Ｂ１、前記第３の画線Ａ１’、前記第４の画線Ｂ１’、前記第５の画線Ｃ及び前記第６の画線Ｄが形成され、前記第２の色材によって、前記第１の不可視情報を形成する画線のうち、前記第１０の画線Ａ２、前記第１１の画線Ｂ２、前記第１２の画線Ａ２’及び前記第１３の画線Ｂ２’が形成されたことを特徴とする偽造防止用印刷物である。
【００２８】
本発明は、前記第１の不可視画像５ａを形成するために配置された前記第１の画線Ａ１及び／又は前記第１０の画線Ａ２と、前記第３の画線Ａ１’及び／又は前記第１２の画線Ａ２’のうち、前記第１の方向に隣接して本来配置される位置及び複数隣接して配置されたユニットのうち、オフとなっている部分が隣接して配置されている位置に、前記所定の領域における濃度の不均衡を緩和するため、前記第１の画線Ａ１及び／又は前記第１０の画線Ａ２と、前記第３の画線Ａ１’及び／又は前記第１２の画線Ａ２’とにおける半分の画線面積率、かつ、前記第１の色材で構成した第７の画線ａ１及び／又は前記第１の色材で構成した第９の画線Ｅ１と、前記第２の色材で構成した第１４の画線ａ２及び／又は前記第２の色材で構成した第１６の画線Ｅ２とが、前記第１の画線Ａ１及び／又は前記第１０の画線Ａ２と、前記第３の画線Ａ１’及び／又は前記第１２の画線Ａ２’とに挟まれ、前記第２の不可視画像５ｂを形成するために配置された前記第２の画線Ｂ１及び／又は前記第１１の画線Ｂ２と、前記第４の画線Ｂ１’及び／又は前記第１３の画線Ｂ２’のうち、前記第２の方向に隣接して本来配置される位置及び複数隣接して配置されたユニットのうち、オフとなっている部分が隣接して配置されている位置に、前記所定の領域における濃度の不均衡を緩和するため、前記第２の画線Ｂ１及び／又は前記第１１の画線Ｂ２と、前記第４の画線Ｂ１’及び／又は前記第１３の画線Ｂ２’とにおける半分の画線面積率、かつ、前記第１の色材で構成した第８の画線ｂ１及び／又は前記第１の色材で構成した第９の画線Ｅ１と、前記第２の色材で構成した第１５の画線ｂ２及び／又は前記第２の色材で構成した第１６の画線Ｅ２とが、前記第２の画線Ｂ１及び／又は前記第１１の画線Ｂ２と、前記第４の画線Ｂ１’及び／又は前記第１３の画線Ｂ２’とに挟まれるように配置されていることを特徴とする偽造防止用印刷物である。
【００２９】
本発明は、前記第６の画線Ｄは、前記第１の色材のうち、前記第５の画線Ｃで形成される所定の明度を有するインキよりも、明度が高いインキで形成されたことを特徴とする偽造防止用印刷物である。
【００３０】
本発明における前記第５の画線Ｃは、画線の大小、画線の濃淡及び画線の疎密から選択される少なくとも一つの方法によって連続階調から成る可視画像が形成され、前記第６の画線Ｄは、所定の間隔を有する同心形万線の画線領域としてそれぞれ画線の中心線において、それぞれの画線の中心線から中心線の間隔が常に同じ距離が保たれ、それぞれの画線領域において内側と外側に所定の画線面積率となるような距離を設けられ、前記同心形万線の画線幅を連続的に違えることによって連続階調から成る可視画像が形成されていることを偽造防止用印刷物である。
【００３１】
本発明は、前記光学特性の異なる第１の色材及び第２の色材のいずれか一方は赤外線吸収特性を含む色材であり、他方は赤外線吸収特性を含まない色材であることを特徴とする偽造防止用印刷物である。
【００３２】
本発明は、前記赤外線吸収特性を含む色材は、ブラック（Ｂｋ）インキであり、前記赤外線吸収特性を含まない色材は、シアン（Ｃ）インキ、マゼンタ（Ｍ）インキ及びイエロー（Ｙ）インキであり、前記第１の画線Ａ１、前記第２の画線Ｂ１、前記第３の画線Ａ１’及び前記第４の画線Ｂ１’は、シアン（Ｃ）インキ、マゼンタ（Ｍ）インキ及びイエロー（Ｙ）インキの減法混色によって混合されたインキで構成され、前記第５の画線Ｃは、シアン（Ｃ）インキ及びマゼンタ（Ｍ）インキで形成され、前記第６の画線Ｄは、イエロー（Ｙ）インキで形成されたことを特徴とする偽造防止用印刷物である。
【００３３】
本発明は、前記第７の画線ａ１、前記第８の画線ｂ１及び前記第９の画線Ｅ１は、シアン（Ｃ）インキ、マゼンタ（Ｍ）インキ及びイエロー（Ｙ）インキの減法混色によって混合されたインキで形成されたことを特徴とする偽造防止用印刷物である。
【００３４】
本発明は、前記ユニットにおける一辺の長さが１ｍｍ以下であることを特徴とする偽造防止用印刷物である。
【００３５】
本発明における前記第６の画線Ｄにおける前記同心形万線が配置される領域は、下記に示すＩＶ）乃至ＶＩ）のいずれか一つによって形成され、前記ＩＶ）は、前記同心形万線が配置される領域が複数分割され、前記複数に分割された各領域は、同一の中心点を共有する同心形万線が形成され、前記複数分割された各領域の同心形万線の画線の間隔は、前記領域ごとに異なる、前記Ｖ）は、前記同心形万線が配置される領域が複数分割され、前記複数に分割された各領域は、前記領域ごとに異なる中心点を有して同心形万線が形成され、前記複数分割された各領域の同心形万線の画線の間隔は、前記領域ごとに異なる、又は、前記ＶＩ）は、前記同心形万線が配置される領域がリング状に複数分割され、前記複数に分割された各領域は、同一の中心点を共有する同心形万線が形成され、前記複数に分割された各領域の境界において、隣り合う一方の前記領域に備わる同心形万線の間隔と、他方の前記領域に備わる同心形万線の間隔との平均値からなる補間領域が設けられ、前記境界において同心形万線の連続性が保たれていることを特徴とする偽造防止用印刷物である。
【００３６】
本発明は、前記同心形万線の前記第６の画線Ｄの間隔が、前記ユニットの寸法よりも小さく、かつ、５０μｍ〜３５０μｍであることを特徴とする前記偽造防止用印刷物である。
【発明の効果】
【００３７】
限られた印刷面積の中で複数の偽造防止策が共有でき、ユーザーの仕様環境や立場に応じた真偽判別手段が選択できる。また、本発明の偽造防止用印刷物における印刷模様に備える意匠性を有する可視画像は、単色の模様の他、連続階調画像、フルカラー画像及びレインボー効果等、さまざまな美麗の表現が可能であり、不可視画像の発現時において視認性を阻害することはなく、印刷物に判別具を重ね合わせることによって、不可視画像が容易に、かつ、鮮明に可視画像へとスイッチして発現するという効果を奏する。
【００３８】
さらに、本発明の偽造防止用印刷物は、画線の形状及び配置によって偽造防止効果をもたらすことが可能であることから、コストパフォーマンスに優れ、製版及び印刷方法も何ら限定されないため、印刷方式にも自由度があるという効果を奏する。
【図面の簡単な説明】
【００３９】
【図１】印刷物１に第１の判別具２を重ね合わせることにより第１の不可視情報を発現させ、第２の真偽判別方法として、第２の判別具６を用いて赤外線視することで第２の不可視情報を発現させ、第３の真偽判別方法として、判別装置Ｒにて抽出された第３の不可視情報が確認できる説明図。
【図２】任意の図形及び文字等から成る印刷模様３の可視画像が視認される正面図。
【図３】第１の不可視画像５ａ、第２の不可視画像５ｂ、第２の不可視情報の不可視画像７又は第３の不可視情報が発現された状態が示された図。
【図４】実施の形態１におけるユニットの一例を簡易的に示した模式図。
【図５】肉眼視では濃度が不均衡になるのを緩和するための、画線の削除並びに追加を実行するアルゴリズムを示したフローチャート。
【図６】図５のアルゴリズムに従って、ユニット［ｈ，ｖ］の画線Ａ’［ｈ，ｖ］が削除された状態が示された図。
【図７】図５のアルゴリズムに従って、画線Ａ１及び／又は画線Ａ２、画線Ａ１’及び／又は画線Ａ２’の半分又は略半分の画線面積を有する画線ａ１及び／又は画線ａ２と、画線Ｅ１及び／又は画線Ｅ２が追加された状態が示された図。
【図８】マトリックス状に構成した可視画像のもととなる「ア」の文字を表現したものと、第１の不可視情報のもととなる「Ａ」の文字を表現したものと、「Ｂ」の文字を表現した説明図。
【図９】画線Ｃによる可視画像と画線Ｄによる第３の不可視情報と、線Ａ１及び／又は画線Ａ２、画線Ａ１’及び／又は画線Ａ２’、画線Ｅ１及び／又は画線Ｅ２、画線ａ１及び／又は画線ａ２による第１の不可視情報と第２の不可視情報を構成する画線の配置が示された図。
【図１０】赤外線吸収性色素を含む色材で画線Ａ１、画線Ａ１’、画線Ｅ１、画線ａ１が構成され、赤外線吸収性色素を含まない色材で画線Ａ２、画線Ａ２’、画線Ｅ２、画線ａ２が構成されていることが示された図。
【図１１】レンチキュラーレンズの特性によって中心線８に位置する画線Ａ１及び／又は画線Ａ２が膨張して第１の不可視画像が可視画像となって発現する状態を示す説明図。
【図１２】赤外線視するカメラ（または光学式スキャナ）を搭載した画像入力・表示装置等を用いて赤外線視し、第２の不可視情報が可視画像となって発現された状態が示された図。
【図１３】実施の形態２におけるユニットの一例を簡易的に示した模式図。
【図１４】画線Ｃによる可視画像と画線Ｄによる第３の不可視情報と、線Ａ１及び／又は画線Ａ２、画線Ａ１’及び／又は画線Ａ２’、画線Ｂ１及び／又は画線Ｂ２、画線Ｂ１’及び／又は画線Ｂ２’、画線Ｅ１、画線Ｅ２、画線ａ１、画線ａ２、画線ｂ１、画線ｂ２による第１の不可視情報と第２の不可視情報とを構成する画線の配置が示された図。
【図１５】赤外線吸収性色素を含む色材で画線Ａ１、画線Ａ１’、画線Ｂ１、画線Ｂ１’、画線Ｅ１、画線ａ１、画線ｂ１が構成され、赤外線吸収性色素を含まない色材で画線Ａ２、画線Ａ２’、画線Ｂ２、画線Ｂ２’、画線Ｅ２、画線ａ２、画線ｂ２が構成されていることが示された図。
【図１６】レンチキュラーレンズの特性によって中心線８に位置する画線Ａ１及び／又は画線Ａ２が膨張して第１の不可視画像５ａが可視画像となって発現する状態を示す説明図。
【図１７】レンチキュラーレンズの特性によって中心線８に位置する画線Ｂ１及び／又は画線Ｂ２が膨張して第２の不可視画像５ｂが可視画像となって発現する状態を示す説明図。
【図１８】赤外線視するカメラ（または光学式スキャナ）を搭載した画像入力・表示装置等を用いて赤外線視し、第２の不可視情報の不可視画像７が可視画像となって発現された状態が示された図。
【図１９】印刷模様３に二種類の画線領域をもって構成された状態が示されたもので、本発明の画線構成をより詳細に説明するために印刷模様３の一部を部分的に拡大し、かつ、説明し易いように画線Ｄを黒ベタで表現した模式図。
【図２０】印刷模様３が光学式スキャナにて解像度１２００ｄｐｉで画像入力され、１０２４×１０２４ピクセルから成る２４ビットのＲＧＢ画像が生成された状態と、そのＲＧＢ画像のうちのＢチャンネルをフーリエ変換して得られたＦＦＴパターンが示された図。
【図２１】印刷模様３に三種類の画線領域をもって構成された状態が示されたもので、本発明の画線構成をより詳細に説明するために印刷模様３の一部を部分的に拡大し、かつ説明し易いように画線Ｅを黒ベタで表現した模式図。
【図２２】印刷模様３が光学式スキャナにて解像度１２００ｄｐｉで画像入力され、１０２４×１０２４ピクセルから成る２４ビットのＲＧＢ画像が生成された状態と、そのＲＧＢ画像のうちのＢチャンネルをフーリエ変換して得られたＦＦＴパターンが示された図。
【図２３】印刷模様３が三種類の領域から成り、領域ｇ１、領域ｇ２、領域ｇ３それぞれの同心円万線の中心点Ｐが等しく、かつ、領域ｇ１、領域ｇ２、領域ｇ３のそれぞれが、同心円万線の中心点Ｐから均等に三等分されて配置されている模式図。
【図２４】印刷模様３が三種類の領域から成り、領域ｇ１、領域ｇ２、領域ｇ３それぞれの同心円万線の中心点Ｐが異なり、かつ領域ｇ１、領域ｇ２、領域ｇ３のそれぞれが、同じ領域面積を持って配置されている模式図。
【図２５】印刷模様３が三種類の領域から成り、領域ｇ１、領域ｇ２、領域ｇ３それぞれの同心円万線の中心点Ｐが等しく、かつ、中心点Ｐから領域ｇ１、領域ｇ２、領域ｇ３の順にリング状に配置されている模式図。
【図２６】連続階調画像に不可視情報を付与された印刷物が示された一例を身分証明書型の印刷物で示された図。
【図２７】実施の形態５における印刷物の発給装置の組織図。
【図２８】身分証明書の印刷物４が発給されるまでの流れが示された説明図。
【図２９】埋め込むべき情報ごとに、あらかじめ設定された複数組の間隔の中から選択されるためのデータテーブルが示された図。
【図３０】身分証明書の印刷物４において第１の判別具２、第２の判別具６及び判別装置Ｒを用いて真偽判別を行っている状態が示された図。
【発明を実施するための形態】
【００４０】
以下、本発明の実施の形態１〜４による偽造防止用印刷物について、図面を用いて説明する。しかし、本発明は、以下に述べる実施の形態１〜４に限定されるものではなく、特許請求の範囲に記載された技術的思想の範囲内であれば、その他のいろいろな実施の形態が含まれる。
【００４１】
本発明の偽造防止用印刷物は、第１の真偽判別方法、第２の真偽判別方法及び第３の真偽判別方法の三種類を備えたものであり、第１の真偽判別方法として図１に示されたように、印刷物１に第１の判別具２を重ね合わせることで現出された画像から成る第１の不可視情報ｉ１（第１の不可視画像５）を視認することにより、容易に真偽性を判別することができるものである。また、第２の真偽判別方法として、第２の判別具６にて現出された画像から成る第２の不可視情報ｉ２（不可視画像７）を視認することにより、容易に真偽性を判別することができるものである。さらに、第３の真偽判別方法として、判別装置Ｒにて抽出された数値からなる第３の不可視情報ｉ３を認証することにより、容易に真偽性を判別することができるものである。
【００４２】
また、本発明の偽造防止用印刷物は、少なくとも三色以上の色インキが用いられるものである。第１の色インキと第２の色インキとは同色であり、第１の色インキは赤外線吸収性色素を含む色材から成り、第２の色インキは赤外線吸収性色素を含まない色材から成る。また、同色である第１の色インキと第２の色インキとに対し、第３の色インキは明度が高くなっている。第１の真偽判別方法と第２の真偽判別方法は、低明度の第１の色インキと第２の色インキとが用いられ、第３の真偽判別方法としては、高明度の第３の色インキが用いられるのが特徴である。ここでいう高明度とは、L*a*b*色表系のＬ値が７０以上が好ましく、低明度とは、L*a*b*色表系のＬ値が５０以下が好ましい。ただし、あくまでも目安であり、低明度の色インキと高明度の画線の色インキはL*a*b*色表系のＬ値が少なくとも２０以上離れていれば十分な効果が望まれる。
【００４３】
第１の真偽判別方法の第１の判別具２は、透明性を有するフィルタに複数の直線が万線状に一方向に沿って形成された万線フィルタ又はレンチキュラーレンズ等である。なお、ここで、可視画像とは、通常の可視光のもとで目視により視認され得る画像であり、第１の不可視情報とは、通常の可視光のもとで目視により視認され得ない、あるいは極めて視認され難い画像であり、万線フィルタ又はレンチキュラーレンズ等を重ねることで視認されるものである。また、第２の真偽判別方法の第２の判別具６は、赤外線視するカメラ（または光学式スキャナ）を搭載した画像入力・表示装置（ＩＲビューアとも呼ばれる）等である。さらに、第３の真偽判別方法の判別装置Ｒは、主に光学式スキャナ等から成る読み取り手段Ｒ１、入力手段Ｒ２、演算手段Ｒ３、表示手段Ｒ４を搭載したものである。これにより、印刷模様３に備わる空間周波数から算出された数値的な不可視情報を得るものである。
【００４４】
図１に示された印刷物１の印刷模様３を通常の可視条件において目視により観察すると、図２に示されたように、任意の図形及び文字等から成る印刷模様３の可視画像が視認される。そして、第１の真偽判別方法として、印刷物１上に第１の判別具２を所定の角度（これを０度とする。）を持って重ね合わせると、図３（ａ）に示されたような第１の不可視画像５ａが可視画像となって発現される。また、印刷物１上に第１の判別具２を所定の角度（これを９０度とする。）を持って重ね合わせると、図３（ｂ）に示されたような第２の不可視画像５ｂが可視画像となって発現される。これにより、図１で示された印刷模様３の可視画像がほとんど見えなくなり、第１の不可視画像５ａ又は第２の不可視画像５ｂが可視画像となって印刷模様３の可視画像と入れ替わるように観察される。また、万線フィルタ又はレンチキュラーレンズ等の第１の判別具２が印刷模様３と重なる位置の違いによって、第１の不可視画像５ａはポジ又はネガ状態に視認される。ネガ又はポジ状のどちらかに見えるのは、第１の判別具２と印刷物１との間の相対的な位置によって生ずるものであり、本発明の効果の範囲内である。
【００４５】
また、第２の真偽判別方法として、印刷物１に赤外線視するカメラ（または光学式スキャナ）を搭載した画像入力・表示装置である第２の判別具６を用いて赤外線視すると、図３（ｃ）に示されたような第２の不可視情報である不可視画像７が可視画像となって発現される。これにより、図１で示された印刷模様３がほとんど見えなくなり、第２の不可視情報である不可視画像７が可視画像となって印刷模様３の可視画像と入れ替わるように観察される。
【００４６】
さらに、第３の真偽判別方法として、図２に示された印刷模様３は、光学式スキャナにて解像度１２００ｄｐｉで画像入力され、１０２４×１０２４ピクセルから成る２４ビットのＲＧＢ画像が生成される。図２に示した印刷物上にある印刷模様３に含まれる画線Ｄは、例えば、８０μｍの間隔ｄから成る同心円万線で配置され、画線Ｄを構成する同心円万線は細画線かつ、明度の高い例えば、イエロー（Ｙ）の色インキで印刷されてあるため目視では同心円万線で構成されていることは視認できない。さらに、明度の低い画線Ａ、画線Ａ’、画線Ｂ、画線Ｂ’及び画線Ｃが同時に刷り重なっているため、それらがカモフラージュ模様となり、画線Ｄを構成する同心円万線が視認されることはない。画線Ａ、画線Ａ’、画線Ｂ、画線Ｂ’及び画線Ｃは、画線Ｄを形成した同心円万線の周波数成分とは異なる周波数成分から成る同心円万線と異なる形状を成す画線群によって形成される。図３（ｄ）は、印刷模様３から得たＲＧＢ画像のうちのＢチャンネルをフーリエ変換して得られたＦＦＴパターンである。なお、空間周波数の特徴をわかりやすく説明するため、図３（ｄ）のＦＦＴパターンの第ＩＶ象限には、周波数強度グラフを重ねて表示している。図３（ｄ）の周波数強度グラフに示されたように、強度ピークの逆空間距離ｑｄ１が見られる。これは、図２に示された間隔ｄが逆空間上に現れたものである。ＦＦＴパターン上の強度ピークの逆空間距離については、画像入力に関わる各種パラメータ、すなわち、図２に示された印刷物上にある領域ｇ１に備わる８０μｍの間隔ｄを実空間距離としたとき、画像の一辺のピクセル数と、画像の解像度がわかっていれば、数１によっても容易に算出できる。
【００４７】
【数１】
0005990791.tif 000002
【００４８】
印刷模様３から得たＲＧＢ画像には図２に示された画線Ｄが含まれるため、画線Ｄに備わる同心円万線の画線の間隔がもたらす強度ピークの逆空間距離ｑｄ１は、図３（ｄ）に示されているようにＦＦＴパターンの中心から２７１ピクセルの位置に現れる。また、画線Ａ、画線Ａ’、画線Ｂ、画線Ｂ’及び画線Ｃは、縦の寸法Ｓｖと横の寸法Ｓｈとで囲われた領域、すなわちユニットの中にあるため、縦の寸法Ｓｖがもたらす強度ピークの逆空間距離ｑｖは、図３（ｄ）に示されているようにＦＦＴパターンの中心から６４ピクセルの位置に現れる。さらに、横の寸法Ｓｈがもたらす強度ピークの逆空間距離ｑｈは、図３（ｄ）に示されているようにＦＦＴパターンの中心から６４ピクセルの位置に現れる。このように、画線Ｄと、画線Ａ、画線Ａ’、画線Ｂ、画線Ｂ’及び画線Ｃとでは、異なる空間周波数として顕著に現れる。
【００４９】
（１）実施の形態１
本発明の実施の形態１による偽造防止用印刷物について説明する。
図４（ａ）は、本実施の形態１における印刷物に対する印刷模様の一画線の構成における部分的な拡大と、印刷物に印刷された印刷模様３を構成するマトリックス状に配置された構成が解るように簡易的に示した模式図である。ここで、縦の寸法Ｓｖは、例えば、３４０μｍというように１ｍｍ以下の大きさである。図４（ａ）の画線は、ユニットと称する最小単位であり、画線Ａ１、画線Ａ２、画線Ａ１’及び画線Ａ２’とで構成されている。この図４（ａ）の画線が、印刷物の表面上においてマトリックス状に規則的に配置される。画線Ａ１及び／又は画線Ａ２と、画線Ａ１’及び／又は画線Ａ２’とは、対を成しており、相互にオンオフの関係にある。このオンオフの関係とは、例えば、一方が黒（オン）のときは他方は白（オフ）、一方が有着色のときは他方は無着色であり、基本的には双方ともに黒又は双方ともに白であることがないということである。そして、画線Ａ１及び／又は画線Ａ２と、画線Ａ１’及び／又は画線Ａ２’とは、面積が同一である。このような画線Ａ１及び／又は画線Ａ２と、画線Ａ１’及び／又は画線Ａ２’とが存在することで通常の可視条件下では視認されず、画線Ａ１及び／又は画線Ａ２のみにより不可視画像（ネガ又はポジ）、画線Ａ１’及び／又は画線Ａ２’のみにより不可視画像（ポジ又はネガ）がそれぞれ形成されている。なお、本発明でいう面積が同一とは、画線面積率が略同一であるものを含むものである。
【００５０】
また、図４（ａ）に示された画線Ｃは、画線Ａ１及び／又は画線Ａ２と、画線Ａ１’及び／又は画線Ａ２’とで面積が同一又は大きく、この画線Ｃにより可視画像（デザイン：模様）を形成し、図２に示されたような任意の図形及び文字から成る印刷模様３の可視画像を構成する画線となり、画線Ｃは画線Ａ１及び／又は画線Ａ２と、画線Ａ１’及び／又は画線Ａ２’に挟まれるように配置されている。さらに、図４（ａ）に示された画線Ｃは、ユニット横方向を長手方向とし、寸法Ｓｈを最大幅とする長方形である。すなわち、ユニットの近傍部によって画線Ｃを備えた領域が横一直線状に連結されているものである。
【００５１】
なお、図４（ａ）では、画線Ａ１及び／又は画線Ａ２と、画線Ａ１’及び／又は画線Ａ２’とのそれぞれの境界がグラデーションで示されているのは、画線Ａ１及び／又は画線Ａ２と、画線Ａ１’及び／又は画線Ａ２’との領域が、第２の不可視情報である不可視画像７の構成によって可変することを示すものである。すなわち、画線Ａ１及び／又は画線Ａ２と、画線Ａ１’及び／又は画線Ａ２’とのそれぞれの領域の割合は、第２の不可視情報である不可視画像７を構成する連続階調によって変化する。
【００５２】
また、画線Ａ１及び／又は画線Ａ２と、画線Ａ１’及び／又は画線Ａ２’とは、可視光の波長領域においては黒色となって視認される。画線Ａ１及び画線Ａ１’は、赤外線吸収性色素を含む色材、例えばブラック（Ｂｋ）インキで構成され、画線Ａ２及び画線Ａ２’は、赤外線吸収性色素を含まない色材、例えばシアン（Ｃ）、マゼンタ（Ｍ）及びイエロー（Ｙ）の減法混色によって混合されたインキで構成されている。本実施の形態では、第２の不可視情報である不可視画像７の連続階調を画線Ａ１及び画線Ａ１’で、赤外線吸収性色素を含む色材にて構成されている。具体的な画線構成については後述にて詳細に説明する。
【００５３】
図２に示された印刷物１の印刷模様３は、図４（ａ）に示されたユニットが縦ステップ数ｖと横ステップ数ｈをもってマトリックス状に縦横隙間なく、連続的に、かつ、規則的に配置されたものである。なお、本実施の形態でいうステップ数とは、印刷模様３上で繰り返されるユニットの数のことを指すもので、ステップ数に何ら制限はなく、このステップ数によって可視画像及び不可視画像の解像度と比例している。また、画線Ａ１及び／又は画線Ａ２と、画線Ａ１’及び／又は画線Ａ２’とが横方向に並ぶことによって、画線Ａ１及び／又は画線Ａ２群から成る平行万線と、画線Ａ１’及び／又は画線Ａ２’群から成る平行万線とが形成される。すなわち、図４は、線位相変調（Line phase modulation）によって、第１の不可視情報を施している状態となっているものである。しかし、この状態では肉眼視で、複数の画線Ａ１及び／又は画線Ａ２と複数の画線Ａ１’及び／又は画線Ａ２’とがマトリックス状に配置されたユニットの近傍部にて画線Ａ１及び／又は画線Ａ２と、画線Ａ１’及び／又は画線Ａ２’との双方がオン（有着色）になることで濃度が高く（濃く）見えたり、また、複数の画線Ａ１及び／又は画線Ａ２と、複数の画線Ａ１’及び／又は画線Ａ２’とがマトリックス状に配置されたユニットの近傍部にて画線Ａ１及び／又は画線Ａ２と、画線Ａ１’及び／又は画線Ａ２’との双方がオフ（無着色）になることで濃度が低く（淡く）見えたりして、肉眼視では濃度が不均衡となって見えることもある。
【００５４】
この濃度が不均衡に見えるのを緩和するため、図４（ａ）に示された画線Ｅ１及び／又は画線Ｅ２と、画線ａ１及び／又は画線ａ２とを、それぞれ画線Ｃの領域中に配置している。画線ａ１及び／又は画線ａ２は、画線Ａ１及び／又は画線Ａ２の半分の画線面積であり、画線Ａ１及び／又は画線Ａ２に対してユニット縦方向上に配列し、画線Ａ１’及び／又は画線Ａ２’と、画線Ａ１’及び／又は画線Ａ２’とに挟まれるように配置されている。一方、画線Ｅ１及び／又は画線Ｅ２は、画線Ａ及び／又は画線Ａ’の半分の画線面積であり、画線Ａ１’及び／又は画線Ａ２’に対してユニット縦方向上に配列し、画線Ａ１及び／又は画線Ａ２と、画線Ａ１’及び／又は画線Ａ２’とに挟まれるように配置されている。これにより、第１の不可視画像５ａ用の画線と濃度の不均衡が緩和されている。なお、画線Ｅ１と、画線ａ１は、赤外線吸収性色素を含む色材、例えばブラック（Ｂｋ）インキで構成され、画線Ｅ２と、画線ａ２は、赤外線吸収性色素を含まない色材、例えばシアン（Ｃ）、マゼンタ（Ｍ）、イエロー（Ｙ）の減法混色によって混合されたインキで構成されている。
【００５５】
図５に示されたアルゴリズムによって最小単位であるユニット［ｈ，ｖ］ごとに、画線の削除並びに追加を実行するものである。ここで、図面の表記を簡単にするため、画線Ａ１及び／又は画線Ａ２を総じて画線Ａとし、画線Ａ１’及び／又は画線Ａ２’を総じて画線Ａ’とし、画線Ｅ１及び／又は画線Ｅ２を総じて画線Ｅとし、画線ａ１及び／又は画線ａ２を総じて画線ａと表記している。なお、［ｖ］はユニットを縦上から数えたステップ数で、［ｈ］はユニットを横左から数えたステップ数である。まず、ステップｆ１にて、マトリックス状に配置した列ごとのユニット［ｈ，ｖ］において順次画線Ａ［ｈ，ｖ］と、画線Ａ’［ｈ，ｖ］の検知が行われる。なお、画線Ａ［ｈ，ｖ］と、画線Ａ’［ｈ，ｖ］を検知する方法は、例えば、印刷模様３がビットマップ形式の二値画像の場合、処理すべきユニット内において、一般的にラベリングと呼ばれる処理によって、画線Ａ［ｈ，ｖ］及び／又は画線Ａ’［ｈ，ｖ］を識別しても良い。
【００５６】
次に、ステップｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、ステップｆ３にて、ユニット［ｈ，ｖ］における本来配置される位置である画線Ａ’［ｈ，ｖ］の削除が行われる。すなわち、図６（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図６（ｂ）に示されるように、ユニット［ｈ，ｖ］の画線Ａ’［ｈ，ｖ］が削除される。また、ステップｆ２の条件に一致しない場合はｆ４に移行する。
【００５７】
次に、ステップｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、ステップｆ５にて、ユニット［ｈ，ｖ］における画線ａ［ｈ，ｖ］の追加を行う。すなわち、図７（ｂ）に示されるように、ユニット［ｈ，ｖ］とユニット［ｈ，ｖ＋１］の中間に、詳細には、画線Ａと画線Ａ’の中間に画線Ａ及び／又は画線Ａ’の半分の画線面積を有する画線ａが追加される。これにより、ユニット［ｈ，ｖ］とユニット［ｈ，ｖ＋１］間における肉眼視での濃度の不均衡が緩和される。なお、本発明でいう半分の画線面積とは、略半分の画線面積を含むものである。
【００５８】
次に、ステップｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、ステップｆ７にて、ユニット［ｈ，ｖ＋１］における画線Ｅ１及び／又は画線Ｅ２［ｈ，ｖ＋１］の追加を行う。すなわち、図７（ｃ）に示されるように、ユニット［ｈ，ｖ＋１］の画線Ａ［ｈ，ｖ＋１］が配置される位置に隣接する領域に、詳細には、画線Ａ’と画線Ａの中間に画線Ａ及び／又は画線Ａ’の半分の画線面積を有する画線Ｅが追加される。これにより、ユニット［ｈ，ｖ］とユニット［ｈ，ｖ＋２］間における肉眼視での濃度の不均衡が緩和される。
【００５９】
次に、ステップｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、ステップｆ９にて、ユニット［ｈ，ｖ＋１］における画線Ｅ１及び／又は画線Ｅ２［ｈ，ｖ＋１］と、画線ａ［ｈ，ｖ＋１］の追加を行う。すなわち、図７（ｄ）に示されるように、ユニット［ｈ，ｖ＋１］の画線Ａ［ｈ，ｖ＋１］が配置される領域に隣接する位置に、詳細には、画線Ａ’と画線Ａの中間に画線Ａ及び／又は画線Ａ’の半分の画線面積を有する画線Ｅが追加され、ユニット［ｈ，ｖ＋１］の画線Ａ’［ｈ，ｖ＋１］が配置される領域に隣接する位置に、詳細には、画線Ａ’と画線Ａの中間に画線Ａ及び／又は画線Ａ’の半分の画線面積を有する画線ａが追加される。これにより、ユニット［ｈ，ｖ］とユニット［ｈ，ｖ＋２］間における肉眼視での濃度の不均衡が緩和される。
【００６０】
この状態で、例えば、レンチキュラーレンズから成る第１の判別具２を印刷物１上の印刷模様３に重ね合わせ、正面から目視で観察することによって、印刷模様３に施されている第１の不可視情報
を可視画像として発現させることができる。なお、本実施の形態１では、寸法Ｓｖが３４０μｍで、印刷模様３がオフセット印刷によりコート紙に印刷されている。しかし、寸法Ｓｖ、印刷物の基材、印刷方法、印刷材料及び印刷装置等について何ら限定するものでない。
【００６１】
ここで、本実施の形態１を簡単に説明するため、図３（ａ）で示された第１の不可視画像５ａと、図３（ｃ）で示された第２の不可視情報である不可視画像７を、さらに模式的な表現にて説明する。図８（ａ）は、印刷模様３の領域内における可視画像のもととなる画像として、例えば、「ア」の文字を用いたものである。一方、図８（ｂ）は、第１の不可視画像のもととなる画像として、例えば「Ａ」の文字を用いたものである。また、第２の不可視情報である不可視画像のもととなる画像として、例えば、緩やかな連続階調を表現したものである。可視画像の分解能については特に制限はないが、本実施の形態の効果をより高める方法として、画像の最小画素寸法として、図８（ａ）に示された画像は、ユニットの縦の寸法Ｓｖ及び横の寸法Ｓｈのそれぞれ半分が適当である。また、図８（ｂ）に示された第１の不可視情報及び第２の不可視情報の分解能については、ユニットの縦の寸法Ｓｖ及び横の寸法Ｓｈのそれぞれが一致していることが適当である。以下、図８にて示された画像をもとに本実施の形態を詳細に説明する。
【００６２】
図９（ａ）は、図８（ａ）に示された可視画像を、図４（ａ）に示された画線Ｃによって構成したもので、マトリックス状に構成した画線の大きさの違いによって「ア」の文字を表現したものである。なお、画像の最小画素寸法は、ユニットの縦の寸法Ｓｖ及び横の寸法Ｓｈの半分であることから、画線Ｃによって構成した可視画像は、図８（ｂ）に示された第１の不可視情報及び第２の不可視情報に対して倍の分解能を有している。また、画線Ｃは、赤外線吸収性色素を含まない色材、例えばシアン（Ｃ）、マゼンタ（Ｍ）のいずれかあるいは混合したインキで印刷されている。一方、図９（ｂ）は、第１の不可視情報及び第２の不可視情報を構成する画線の配置である。図５に示されたアルゴリズムによって、図８（ｂ）に示された第１の不可視情報である「Ａ」の文字を埋め込んだ画線の画線の配置となっている。さらに、第２の不可視情報は第１の不可視情報に含まれている。すなわち、図４に示された画線Ａ１、画線Ａ２、画線Ａ１’及び画線Ａ２’の濃度が不均衡に見えるのを緩和するための画線Ｅ１及び／又は画線Ｅ２と、画線ａ１及び／又は画線ａ２によって構成されている。またさらに、第３の真偽判別方法のための第３の不可視情報として画線Ａ１、画線Ａ２、画線Ａ１’及び画線Ａ２’に対し、画線Ｄは明度の高い、例えば、イエロー（Ｙ）で印刷され、間隔ｄは寸法Ｓよりも短い距離となっている。画線Ｄについては後述にて詳細に説明する。
【００６３】
図９（ｂ）に示された画線構成を、図１０にてさらに詳細に説明する。図１０（ａ）は、赤外線吸収性色素を含む色材、例えばブラック（Ｂｋ）インキで構成された画線群が示されたもので、画線Ａ１、画線Ａ１’、画線Ｅ１及び画線ａ１によって、図８（ｂ）に示された第２の不可視情報のもととなる画像として、例えば、緩やかな連続階調を表現されたものである。一方、図１０（ｂ）は、赤外線吸収性色素を含まない色材、例えばシアン（Ｃ）、マゼンタ（Ｍ）及びイエロー（Ｙ）の減法混色によって混合されたインキで構成された画線群が示されたもので、画線Ａ２、画線Ａ２’、画線Ｅ２及び画線ａ２によって、図８（ｂ）に示された第２の不可視情報のもととなる画像のネガ状態を表現されたものである。図１０（ａ）の画線群と図１０（ｂ）の画線群を併せて備えたものが図９（ｂ）の画線群ということになる。
【００６４】
図１１（ａ）に示された印刷模様３は、図９（ａ）に示された可視画像及び第３の不可視情報と、図９（ｂ）に示された第１の不可視情報及び第２の不可視情報が合成されたものである。まず、第１の真偽判別方法として、図１１（ａ）に示されたように、印刷物上の所定の位置に、第１の判別具２であるレンチキュラーレンズにおける各レンズの中心線８が画線Ａ１及び画線Ａ２の中心、すなわち、図４における線Ｌ１に一致するように載置する。この場合、図１１（ｂ）に示されたようにレンチキュラーレンズの作用によって画線Ａ１及び画線Ａ２が拡大された状態となるため、画線Ａ１及び画線Ａ２により構成されている画像（模様）を確認することができることとなる。その際、可視画像を構成していた画線Ｃは、レンチキュラーレンズの各レンズの中心線８と一致せず、第１の判別具２の真上から視認されることはない。これにより、図２に示された印刷模様３の可視画像が図３（ａ）に示されたような第１の不可視画像５ａへとスイッチすることとなる。また、画線Ａ１’及び画線Ａ２’が拡大されるように、縦軸方向に沿って第１の判別具２の各レンズの中心線８が、図４における線Ｌ２と一致するように移動させた場合、画線Ａ１’及び画線Ａ２’により視認された第１の不可視画像がネガポジ反転して視認される。なお、画線Ｄは明度の高いイエロー（Ｙ）で印刷されていることから、第１の判別具２であるレンチキュラーレンズにおけるイエロー（Ｙ）は、明度差の違いによりほとんど視認されることはなく、第１の真偽判別方法に何ら影響されることはない。
【００６５】
図１２（ａ）に示された印刷模様３は、図９（ａ）に示された可視画像及び第３の不可視情報と、図９（ｂ）に示された第１の不可視情報及び第２の不可視情報が合成されたものである。まず、第２の真偽判別方法として、図１で示されたような第２の判別具６、例えば赤外線視するカメラ（または光学式スキャナ）を搭載した画像入力・表示装置等を用いて赤外線視すると、図１２（ｂ）に示されたような第２の不可視情報が可視画像となって発現される。すなわち、赤外線視された場合、赤外線吸収性色素を含まない画線Ｃ、画線Ａ２、画線Ａ２’、画線Ｅ２及び画線ａ２は印刷物１の基材における表面反射光のみとなり、赤外線吸収性色素を含む画線Ａ１、画線Ａ１’、画線Ｅ１及び画線ａ１だけが確認され、第２の不可視情報が可視画像となって観察される。すなわち、赤外線視においては赤外線吸収性色素を含む画線と含まない画線とでは、相互にオンオフの関係にある。赤外線吸収性色素を含む色材から成る画線Ａ１、画線Ａ１’、画線Ｅ１及び画線ａ１は黒（オン）であり、赤外線吸収性色素を含まない色材から成る画線Ｃ、画線Ａ２、画線Ａ２’、画線Ｅ２及び画線ａ２は白（オフ）と認識され、基本的には双方ともに黒又は双方ともに白であることがないということである。これにより、それぞれ異なる第１の真偽判別方法と第２の真偽判別方法を備えた偽造防止用印刷物となる。そして、マトリックス状に配置するユニットの数が多いほど画像の分解能が高くなり、図３（ｃ）に示されたような第２の不可視情報の不可視画像７を表現することを可能にしている。
【００６６】
また、ユニットの構成としては、図４（ｂ）に示される画線構成であっても良い。図４（ｂ）は、図４（ａ）で示された濃度が不均衡に見えるのを緩和するための画線Ｅ１及び／又は画線Ｅ２と、画線ａ１及び／又は画線ａ２とを、それぞれ画線Ｃ領域に挟まれるように配置している。すなわち、図４（ｂ）に示された画線ａ１及／又は画線ａ２と、画線Ｅ１及び／又は画線Ｅ２とは、画線Ａ１及び／又は画線Ａ２と、画線Ａ１’及び／又は画線Ａ２’とに対してユニット横方向において寸法Ｓｈの半分の長さをもってずれて配置されている。画線ａ１及び／又は画線ａ２は、画線Ａ１及び／又は画線Ａ２の半分の画線面積であり、画線Ａ１及び／又は画線Ａ２に対してユニット縦方向上に配列し、マトリックス状に配置されたユニットの近傍部にて画線Ａ１’及び／又は画線Ａ２’と、画線Ａ１’及び／又は画線Ａ２’とに挟まれるように配置されている。一方、画線Ｅ１及び／又は画線Ｅ２は、画線Ａ及び／又は画線Ａ’の半分の画線面積であり、画線Ａ１’及び／又は画線Ａ２’に対してユニット縦方向上に配列し、マトリックス状に配置されたユニットの近傍部にて画線Ａ１及び／又は画線Ａ２と、画線Ａ１及び／又は画線Ａ２とに挟まれるように配置されている。これにより、第１の不可視画像用の画線の濃度の不均衡を緩和するための画線がユニット横方向において横一直線状に連結されているものである。この図４（ｂ）に示されたユニットの画線構成においても同様の効果を奏するものである。
【００６７】
第３の真偽判別方法については、印刷模様３に備わる空間周波数から算出された数値的な不可視情報を得ることができる。上記記載と同様であるため詳細な説明は省略する。
【００６８】
（２）実施の形態２
次に、本発明の実施の形態２による偽造防止用印刷物について説明する。実施の形態１では、第１の不可視情報である第１の不可視画像５ａと第２の不可視情報とが発現する例であるが、実施の形態２では、第１の不可視情報である第１の不可視画像と第２の不可視情報に加え、第１の判別具２によって第１の不可視情報である第２の不可視画像５ｂが発現する例を説明するものである。
【００６９】
図１３は、本実施の形態２における印刷物に対する印刷模様の一画線の構成における部分的な拡大と、印刷物に印刷された印刷模様３を構成するマトリックス状に配置された構成が解るように簡易的に示した模式図である。ここで、縦の寸法Ｓｖ及び横の寸法Ｓｈは、例えば、３４０μｍというように１ｍｍ以下の大きさである。図１３の画線は、ユニットと称する最小単位であり、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とにより、第１の不可視画像及び第２の不可視画像が構成されている。この図１３に示す画線が、印刷物の表面上においてマトリックス状に規則的に配置される。画線Ａ１及び／又は画線Ａ２と、画線Ａ１’及び／又は画線Ａ２’とは、対を成しており、相互にオンオフの関係にある。一方、画線Ｂ１及び／又は画線Ｂ２と、画線Ｂ１’及び／又は画線Ｂ２’とは、対を成しており、相互にオンオフの関係にある。そして、画線Ａ１及び／又は画線Ａ２と、画線Ａ１’及び／又は画線Ａ２’とは、面積が同一であり、かつ、画線Ｂ１及び／又は画線Ｂ２と、画線Ｂ１’及び／又は画線Ｂ２’とは、面積が同一である。このような画線Ａ１及び／又は画線Ａ２と、画線Ａ１’及び／又は画線Ａ２’、画線Ｂ１及び／又は画線Ｂ２と、画線Ｂ１’及び／又は画線Ｂ２’とが存在することで通常の可視条件下では視認されず、画線Ａのみにより第１の不可視画像５ａ（ネガ又はポジ）、画線Ａ’のみにより第１の不可視画像５ａ（ポジ又はネガ）がそれぞれ形成され、さらに、画線Ｂ１及び／又は画線Ｂ２のみにより第２の不可視画像５ｂ（ネガ又はポジ）、画線Ｂ１’及び／又は画線Ｂ２’のみにより第２の不可視画像５ｂ（ポジ又はネガ）がそれぞれ形成されている。
【００７０】
また、実施の形態１と同様に、図１３に示された画線Ｃにより可視画像（デザイン：模様）を形成し、図２に示されたような任意の図形及び文字から成る印刷模様３の可視画像を構成する画線となり、画線Ｃが画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とに挟まれるように配置されている。
【００７１】
なお、図１３では、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とのそれぞれの境界がグラデーションで示されているのは、画線Ａ１及び／又は画線Ａ２と、画線Ａ１’及び／又は画線Ａ２’との領域が、第２の不可視情報である不可視画像７の構成によって可変することを示すものである。すなわち、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とのそれぞれの領域は、第２の不可視情報である不可視画像７を構成する連続階調によって変化する。
【００７２】
また、画線Ａ１及び／又は画線Ａ２と、画線Ａ１’及び／又は画線Ａ２’、画線Ｂ１及び／又は画線Ｂ２と、画線Ｂ１’及び／又は画線Ｂ２’は、可視光の波長領域においては黒色となって視認される。画線Ａ１、画線Ａ１’、画線Ｂ１及び画線Ｂ１’は、赤外線吸収性色素を含む色材、例えばブラック（Ｂｋ）インキで構成され、画線Ａ２、画線Ａ２’、画線Ｂ２及び画線Ｂ２’は、赤外線吸収性色素を含まない色材、例えばシアン（Ｃ）、マゼンタ（Ｍ）及びイエロー（Ｙ）の減法混色によって混合されたインキで構成されている。本実施の形態では、第２の不可視情報である不可視画像７の連続階調を画線Ａ１、画線Ａ１’、画線Ｂ１及び画線Ｂ１’で、赤外線吸収性色素を含む色材にて構成されている。
【００７３】
図２に示された印刷物１の印刷模様３は、図１３に示されたユニットが縦ステップ数ｖと横ステップ数ｈをもってマトリックス状に縦横隙間なく、連続的に、かつ、規則的に配置されたものである。なお、この状態では、肉眼視で複数の画線Ａ１及び／又は画線Ａ２と、複数の画線Ａ１’及び／又は画線Ａ２’とがマトリックス状に配置されたユニットの近傍部にて画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’との双方がオン（有着色）になることで濃度が高く（濃く）見えたり、また、複数の画線Ａ１及び／又は画線Ａ２と、複数の画線Ａ１’及び／又は画線Ａ２’と、複数の画線Ｂ１及び／又は画線Ｂ２と、複数の画線Ｂ１’及び／又は画線Ｂ２’とがマトリックス状に配置されたユニットの近傍部にて画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’との双方がオフ（無着色）になることで濃度が低く（淡く）見えることで、肉眼視では、濃度が不均衡となって見えることもある。
【００７４】
この濃度が不均衡に見える状態を緩和するため、図１３に示された画線Ｅ１及び／又は画線Ｅ２と、画線ａ１及び／又は画線ａ２と、画線ｂ１及び／又は画線ｂ２とを、それぞれ画線Ｃの領域中に配置している。なお、画線Ｅ１、画線ａ１及び画線ｂ１は、赤外線吸収性色素を含む色材、例えばブラック（Ｂｋ）インキで構成され、画線Ｅ２、画線ａ２及び画線ｂ２は、赤外線吸収性色素を含まない色材、例えばシアン（Ｃ）、マゼンタ（Ｍ）及びイエロー（Ｙ）の減法混色によって混合されたインキで構成されている。
【００７５】
また、画線Ｅ１、画線ａ１及び画線ｂ１の画線の生成については、図５に示されたアルゴリズムに準拠するものであり、画線Ａ１及び／又は画線Ａ２を総じて画線Ａとし、画線Ａ１’及び／又は画線Ａ２’を総じて画線Ａ’とし、画線Ｅ１及び／又は画線Ｅ２を総じて画線Ｅとし、画線ａ１及び／又は画線ａ２を総じて画線ａと表記している。さらに、ユニットの縦横の関係を反対にし、画線Ｂ１及び／又は画線Ｂ２を総じて画線Ａとし、画線Ｂ１’及び／又は画線Ｂ２’を総じて画線Ａ’とし、画線Ｅ１及び／又は画線Ｅ２を総じて画線Ｅとし、画線ｂ１及び／又は画線ｂ２を総じて画線ａと表記して図５に示されたアルゴリズムで処理することにより、画線Ｂ１及び／又は画線Ｂ２と、画線Ｂ１’及び／又は画線Ｂ２’の関係から成る画線Ｅ１及び／又は画線Ｅ２と、画線ｂ１及び／又は画線ｂ２とが生成される。
【００７６】
図１４（ａ）は、図８（ａ）に示された可視画像を、図１３に示された画線Ｃによって構成したもので、マトリックス状に構成した画線の大きさの違いによって「ア」の文字を表現したものである。なお、画像の最小画素寸法は、ユニットの縦の寸法Ｓｖ及び横の寸法Ｓｈの半分であることから、画線Ｃによって構成した可視画像は、図８（ｂ）に示された第１の不可視情報及び第２の不可視情報に対して倍の分解能を有している。また、画線Ｃは、赤外線吸収性色素を含まない色材、例えばシアン（Ｃ）、マゼンタ（Ｍ）及びイエロー（Ｙ）のいずれかあるいは混合したインキで印刷されている。一方、図１４（ｂ）は、第１の不可視情報及び第２の不可視情報を構成する画線の配置である。図５に示されたアルゴリズムによって、図８（ｂ）に示された第１の不可視画像５ａである「Ａ」の文字及び、第２の不可視画像５ｂ「Ｂ」の文字を埋め込んだ画線の配置となっている。さらに、第２の不可視情報である不可視画像７は第１の不可視画像５ａ及び第２の不可視画像５ｂに含まれている。すなわち、図１３に示された画線Ａ１、画線Ａ２、画線Ａ１’、画線Ａ２’、画線Ｂ１、画線Ｂ２、画線Ｂ１’及び画線Ｂ２’と、濃度が不均衡に見えるのを緩和するための画線Ｅ１及び／又は画線Ｅ２と、画線ａ１及び／又は画線ａ２と、画線ｂ１及び／又は画線ｂ２とによって構成されている。またさらに、第３の真偽判別方法のための不可視情報として画線Ａ１、画線Ａ２、画線Ａ１’及び画線Ａ２’に対し、画線Ｄは明度の高いイエロー（Ｙ）で印刷され、間隔ｄは寸法Ｓよりも短い距離となっている。画線Ｄについては後述にて詳細に説明する。
【００７７】
図１４（ｂ）に示された画線構成を、図１５にてさらに詳細に説明する。図１５（ａ）は、赤外線吸収性色素を含む色材、例えばブラック（Ｂｋ）インキで構成された画線群が
示されたもので、画線Ａ１、画線Ａ１’、画線Ｂ１、画線Ｂ１’、画線Ｅ１、画線ａ１及び画線ｂ１によって、図８（ｂ）に示された第２の不可視情報のもととなる画像として、例えば、緩やかな連続階調を表現されたものである。一方、図１５（ｂ）、赤外線吸収性色素を含まない色材、例えばシアン（Ｃ）、マゼンタ（Ｍ）及びイエロー（Ｙ）の減法混色によって混合されたインキで構成された画線群が示されたもので、画線Ａ２、画線Ａ２’、画線Ｂ２、画線Ｂ２’、画線Ｅ２、画線ａ２及び画線ｂ２によって、図８（ｂ）に示された第２の不可視情報のもととなる画像のネガ状態を表現されたものである。図１５（ａ）の画線群と図１５（ｂ）の画線群を併せて備えたものが図１４（ｂ）の画線群ということになる。
【００７８】
図１６（ａ）に示された印刷模様３は、図１４（ａ）に示された可視画像及び第３の不可視情報と、図１４（ｂ）に示された第１の不可視情報及び第２の不可視情報が合成されたものである。まず、第１の真偽判別方法として、図１６（ａ）に示されたように、印刷物上の所定の位置に、第１の判別具２であるレンチキュラーレンズにおける各レンズの中心線８が画線Ａ１及び画線Ａ２の中心、すなわち、図１３における線Ｌ１に一致するように載置する。この場合、図１６（ｂ）に示されたようにレンチキュラーレンズの作用によって画線Ａ１及び画線Ａ２が拡大された状態となるため、画線Ａ１及び画線Ａ２により構成されている「Ａ」の文字を確認することができることとなる。その際、可視画像を構成していた画線Ｃは、レンチキュラーレンズの各レンズの中心線８と一致せず、第１の判別具２の真上から視認されることはない。また、画線Ａ１’及び画線Ａ２’が拡大されるように、縦軸方向に沿って第１の判別具２の各レンズの中心線８が、図１３における線Ｌ２と一致するように移動させた場合、画線Ａ１’及び画線Ａ２’により視認された第１の不可視画像５ａがネガポジ反転して視認される。なお、画線Ｄは明度の高いイエロー（Ｙ）で印刷されていることから、第１の判別具２であるレンチキュラーレンズにおけるイエロー（Ｙ）は、明度差の違いによりほとんど視認されることはなく、第１の真偽判別方法に何ら影響されることはない。
【００７９】
また、図１７（ａ）に示された印刷模様３は、図１４（ａ）に示された可視画像及び第３の不可視情報と、図１４（ｂ）に示された第１の不可視情報及び第２の不可視情報が合成されたものである。まず、第１の真偽判別方法として、図１７（ａ）に示されたように、印刷物上の所定の位置に、第１の判別具２であるレンチキュラーレンズにおける各レンズの中心線８が画線Ｂ１及び画線Ｂ２の中心、すなわち、図１３における線Ｌ３に一致するように載置する。この場合、図１７（ｂ）に示されたようにレンチキュラーレンズの作用によって画線Ｂ１及び画線Ｂ２が拡大された状態となるため、画線Ｂ１及び画線Ｂ２により構成されている「Ｂ」の文字を確認することができることとなる。その際、可視画像を構成していた画線Ｃは、レンチキュラーレンズの各レンズの中心線８と一致せず、第１の判別具２の真上から視認されることはない。また、画線Ｂ１’及び画線Ｂ２’が拡大されるように、縦軸方向に沿って第１の判別具２の各レンズの中心線８が、図１３における線Ｌ４と一致するように移動させた場合、画線Ｂ１’及び画線Ｂ２’により視認された第２の不可視画像５ｂがネガポジ反転して視認される。なお、画線Ｄは明度の高いイエロー（Ｙ）で印刷されていることから、第１の判別具２であるレンチキュラーレンズにおけるイエロー（Ｙ）は、明度差の違いによりほとんど視認されることはなく、第１の真偽判別方法に何ら影響されることはない。
【００８０】
図１８（ａ）に示された印刷模様３は、図１４（ａ）に示された可視画像及び第３の不可視情報と、図１４（ｂ）に示された第１の不可視情報及び第２の不可視情報が合成されたものである。まず、第２の真偽判別方法として、図１で示されたような第２の判別具６、例えば赤外線視するカメラ（または光学式スキャナ）を搭載した画像入力・表示装置等を用いて赤外線視すると、図１８（ｂ）に示されたような第２の不可視情報である不可視画像７が可視画像となって発現される。すなわち、赤外線視された場合、赤外線吸収性色素を含まない画線Ａ２、画線Ａ２’、画線Ｂ２、画線Ｂ２’、画線Ｃ、画線Ｅ２、画線ａ２及び画線ｂ２は印刷物１の基材における表面反射光のみとなり、赤外線吸収性色素を含む画線Ａ１、画線Ａ１’、画線Ｂ１、画線Ｂ１’、画線Ｅ１、画線ａ１及びｂ１だけが確認され、第２の不可視情報として不可視画像７が可視画像となって観察される。これにより、それぞれ異なる第１の真偽判別方法と第２の真偽判別方法を備えた偽造防止用印刷物となる。
【００８１】
ここで第１の判別具２は、レンチキュラーレンズにかかわらず、例えば、万線フィルタであっても同様の効果が得られる。この万線フィルタの場合は、フィルタ上の万線に該当する部分が可視画像を構成する画線を隠蔽することで、第１の不可視情報を構成する画線のみを確認することができることとなるが、可視画像を完全には隠蔽することができずに若干視認されてしまうことがある。ただし、これによって本発明の効果を損なうことはないため、簡易的に判別を行うには、万線フィルタを用いても充分である。
【００８２】
実施の形態１及び実施の形態２の可視画像を構成する画線Ｃは、意匠性を備え、単色の模様の他、網点、グレースケール的に適当な濃度で着色された相対的な写真階調、ランダム・ドットのディザ法等公知の表現方法から成る連続階調画像を適用できる。すなわち、連続階調を有する有意味な可視画像は、ハイライトからシャドーの連続階調を有していれば顔画像、文字、数字、図柄、絵柄、ロゴマーク等、特に限定されるものではない。可視画像は、文字、数字、図柄、絵柄、ロゴマーク等、特に限定されるものではない。なお、身分証明書、入場券等の本人確認が必要とされる印刷物を形成する場合は、連続階調を有する有意味な可視画像を顔画像とし、第１の不可視情報、第２の不可視情報及び第３の不可視情報を個人情報や発行日とすることが好ましい。本発明の連続階調を有する偽造防止用印刷物の印刷方式は、インクジェットプリンタ、レーザプリンタ、オフセット印刷機等、特に限定されるものではない。本発明の連続階調を有する偽造防止用印刷物の基材は、紙、プラスチック等、特に限定されるものではない。
【００８３】
（３）実施の形態３
本実施の形態３は、第３の真偽判別方法において不可視情報の情報量を増やすための施策である。図１９は、印刷模様３に二種類の画線領域をもって構成された状態が示されたもので、本発明の画線構成をより詳細に説明するために印刷模様３の一部を部分的に拡大し、かつ説明し易いように画線Ｄを黒ベタで表現した模式図である。
【００８４】
図１９に示された二種
類の画線領域で構成された印刷模様３は、光学式スキャナにて解像度１２００ｄｐｉで画像入力され、図２０（ａ）に示された１０２４×１０２４ピクセルから成る２４ビットのＲＧＢ画像が生成される。図１９に示された印刷物上にある高明度の色インキから成る画像の領域ｇ１は、８０μｍの間隔ｄ１から成る同心円万線で配置され、領域ｇ２は、１００μｍの間隔ｄ２から成る同心円万線で配置され、領域ｇ１及び領域ｇ２を構成する同心円万線は細画線かつ、明度の高い色インキで印刷されているため目視では同心円万線で構成されていることは視認できない。さらに、明度の低い画線Ａ１及び／又は画線Ａ２、画線Ａ１’及び／又は画線Ａ２’、画線Ｂ１及び／又は画線Ｂ２、画線Ｂ１’及び／又は画線Ｂ２’及び画線Ｃが同時に刷り重なっているため、それらがカモフラージュ模様となり、領域ｇ１及び領域ｇ２を構成する同心円万線が視認されることはない。画線Ａ１及び／又は画線Ａ２、画線Ａ１’及び／又は画線Ａ２’、画線Ｂ１及び／又は画線Ｂ２、画線Ｂ１’及び／又は画線Ｂ２’、画線Ｃ及び画線Ｅは、画線Ｄを形成した同心円万線の周波数成分とは異なる周波数成分によって形成される。なお、間隔ｄ１及び間隔ｄ２は、ユニットの寸法Ｓよりも小さいことが望ましい。
【００８５】
図２０（ｂ）は、図２０（ａ）に示されたＲＧＢ画像のうちのＢチャンネルをフーリエ変換して得られたＦＦＴパターンである。空間周波数の特徴をわかりやすく説明するため、図２０（ｂ）のＦＦＴパターンの第ＩＶ象限には、周波数強度グラフを重ねて表示している。図２０（ｂ）の周波数強度グラフに示されたように、強度ピークの逆空間距離ｑｄ１と逆空間距離ｑｄ２が見られる。
【００８６】
数１の算出でも示されるように、図２０（ａ）のＲＧＢ画像には図１９に示された領域ｇ１が含まれているため、領域ｇ１に備わる同心円万線の画線の間隔ｄ１がもたらす強度ピークの逆空間距離ｑｄ１は、図２０（ｂ）に示されているようにＦＦＴパターンの中心から２７１ピクセルの位置に現れる。さらに、図２０（ａ）のＲＧＢ画像には図１９に示された領域ｇ２も含まれているため、領域ｇ２に備わる同心円万線の画線の間隔ｄ２がもたらす強度ピークの逆空間距離ｑｄ２は、図２０（ｂ）に示されているようにＦＦＴパターンの中心から２１７ピクセルの位置に現れる。
【００８７】
また、図２１は、印刷模様３に三種類の画線領域をもって構成された状態が示されたもので、本発明の画線構成をより詳細に説明するために印刷模様３の一部を部分的に拡大し、かつ説明し易いように画線Ｄを黒ベタで表現した模式図である。
【００８８】
図２１に示された三つの領域で構成された印刷模様３は、光学式スキャナにて解像度１２００ｄｐｉで画像入力され、図２２（ａ）に示された１０２４×１０２４ピクセルから成る２４ビットのＲＧＢ画像が生成される。図２１に示された印刷物上にある高明度の色インキから成る画像の領域ｇ１は、８０μｍの間隔ｄ１から成る同心円万線で配置され、領域ｇ２は、１００μｍの間隔ｄ２から成る同心円万線で配置され、領域ｇ３は、１３０μｍの間隔ｄ３から成る同心円万線で配置され、領域ｇ１、領域ｇ２及び領域ｇ３を構成する同心円万線は細画線かつ、明度の高い色インキで印刷されてあるため目視では同心円万線で構成されていることは視認できない。さらに、明度の低い画線Ａ１及び／又は画線Ａ２、画線Ａ１’及び／又は画線Ａ２’、画線Ｂ１及び／又は画線Ｂ２、画線Ｂ１’及び／又は画線Ｂ２’、画線Ｃ及び画線Ｅが同時に刷り重なっているため、それらがカモフラージュ模様となり、領域ｇ１、領域ｇ２及び領域ｇ３を構成する同心円万線が視認されることはない。画線Ａ、画線Ａ’、画線Ｂ、画線Ｂ’及び画線Ｃは、画線Ｄを形成した同心円万線の周波数成分とは異なる周波数成分によって形成される。なお、間隔ｄ１、間隔ｄ２及び間隔ｄ３は、ユニットの寸法Ｓよりも小さいことが望ましい。
【００８９】
図２２（ｂ）は、図２２（ａ）に示されたＲＧＢ画像のうちのＢチャンネルをフーリエ変換して得られたＦＦＴパターンである。空間周波数の特徴をわかりやすく説明するため、図２２（ｂ）のＦＦＴパターンの第ＩＶ象限には、周波数強度グラフを重ねて表示している。図２２（ｂ）の周波数強度グラフに示されたように、強度ピークの逆空間距離ｑｄ１と逆空間距離ｑｄ２と逆空間距離ｑｄ３が見られる。
【００９０】
数１の算出でも示されるように、図２２（ａ）のＲＧＢ画像には図２１に示された領域ｇ１が含まれているため、領域ｇ１に備わる同心円万線の画線の間隔ｄ１がもたらす強度ピークの逆空間距離ｑｄ１は、図２２（ｂ）に示されているようにＦＦＴパターンの中心から２７１ピクセルの位置に現れる。さらに、図２２（ａ）のＲＧＢ画像には図２１に示された領域ｇ２も含まれているため、領域ｇ２に備わる同心円万線の画線の間隔ｄ２がもたらす強度ピークの逆空間距離ｑｄ２は、図２２（ｂ）に示されているようにＦＦＴパターンの中心から２１７ピクセルの位置に現れる。またさらに、図２２（ａ）のＲＧＢ画像には図２１に示された領域ｇ３も含まれているため、領域ｇ３に備わる同心円万線の画線の間隔ｄ３がもたらす強度ピークの逆空間距離ｑｄ３は、図２２（ｂ）に示されているようにＦＦＴパターンの中心から１６７ピクセルの位置に現れる。
【００９１】
また、図２３は、図２２の模式図と同様に、三種類の領域から成り、図２１の画線Ｄと同じく、８０μｍの間隔ｄ１から成る同心円万線で配置された領域ｇ１と、１００μｍの間隔ｄ２から成る同心円万線で配置された領域ｇ２と、１３０μｍの間隔ｄ３から成る同心円万線で配置された領域ｇ３とによって構成されている。図２３の模式図に示されたように、領域ｇ１、領域ｇ２、領域ｇ３それぞれの同心円万線の中心点Ｐが等しく、かつ領域ｇ１、領域ｇ２、領域ｇ３のそれぞれが、同心円万線の中心点Ｐから均等に三等分されて配置されている。この場合においても、領域ｇ１、領域ｇ２、領域ｇ３の空間周波数の特徴を明瞭に識別することができる。
【００９２】
つまり、図２１及び図２３の同心円画線を用いた偽造防止用印刷物は、同心円万線が配置される領域が、複数分割され、複数に分割された各領域は、同一の中心点を共有する同心円万線が形成され、複数分割された各領域の同心円万線の画線の間隔は、領域ごとに異なることを特徴としている。
【００９３】
さらに、図２４は、図２２及び図２３の模式図と同様に、三種類の領域から成り、図２３の画線Ｄと同じく、８０μｍの間隔ｄ１から成る同心円万線で配置された領域ｇ１と、１００μｍの間隔ｄ２から成る同心円万線で配置された領域ｇ２と、１３０μｍの間隔ｄ３から成る同心円万線で配置された領域ｇ３とによって構成されている。図２４の模式図に示されたように、領域ｇ１、領域ｇ２、領域ｇ３それぞれの同心円万線の中心点Ｐが異なり、かつ領域ｇ１、領域ｇ２、領域ｇ３のそれぞれが、同じ領域面積を持って配置されている。この場合においても、領域ｇ１、領域ｇ２、領域ｇ３の空間周波数の特徴を明瞭に識別することができる。
【００９４】
つまり、図２４の同心円画線を用いた偽造防止用印刷物は、同心円万線が配置される領域が、複数分割され、複数に分割された各領域は、領域ごとに異なる中心点を有して同心円万線が形成され、複数分割された各領域の同心円万線の画線の間隔は、領域ごとに異なることを特徴としている。
【００９５】
なお、図２１、図２３及び図２４の模式図に示されたそれぞれの領域は、実施の形態１に示されたように、同心円万線の間隔ｄ１の範囲でそれぞれ個々の画線の中心線から画線幅を連続的に違えることによって連続階調が表現されるものである。
【００９６】
上記説明では、最も明度の高い所定の色要素であるイエロー（Ｙ）に同心円万線からなる画線Ｄを形成し、残りの色素であるシアン（Ｃ）及びマゼンタ（Ｍ）に所定の位置から成る画線Ｃを形成して説明しているが、本発明は上記構成に限定されることなく、複数の色要素のうち、最も明度の高い所定の色要素を抽出し、所定の色要素から成る画像が埋め込むべき情報に応じた周波数成分が抽出されるように形成すればよい。また、同心円万線の画線の間隔が、前記ユニットの寸法よりも小さく、５０μｍ〜３５０μｍであることが好ましい。
【００９７】
本発明の偽造防止用印刷物は、同心円万線の画線の間隔は、埋め込むべき情報ごとに、あらかじめ設定された複数組の間隔の中から選択されている。例えば、図２９のデータテーブルに示されたように、図３（ｄ）に示されたＦＦＴパターンを得るためのデータとしてはCode 1が適用され、図２０（ｂ）に示されたＦＦＴパターンを得るためのデータとしてはCode 2が適用され、図２２（ｂ）に示されたＦＦＴパターンを得るためのデータとしてはCode 3が適用される。このデータテーブルに埋め込むべき情報が多く登録されているほど真偽判別用の情報を活用できるものである。
【００９８】
本発明は、面表現の領域において同心円万線、すなわち規則性を有する複数本の細画線を有することにより、スキャナ、複写機等のデジタル機器による高解像度入力画像では識別可能であるが、人間にとって視覚で認識困難な微細かつ規則性を有する部分を付与し、得られた印刷物に対してデジタル機器上で証券用線画の間隔の相関を分析し、印刷物に埋め込まれた情報を識別することで真偽判別が可能であり、また、その情報に基づき偽造等に利用する複写機等デジタル機器の動作停止等のアクションを可能とするものである。
【００９９】
（４）実施の形態４
本実施の形態４は、複数の領域がリング状に配置し、かつ、それぞれの領域の境界において、それぞれの領域に備わる同心円万線が自然な連続性が保たれている位置関係について述べるものである。本実施の形態４について、図面を用いて詳細に説明する。
【０１００】
本発明における領域に備わる同心円万線は、イエローのような明度の高い色インキで印刷されるので、肉眼視において全体的な連続階調は視認できても画線形状を識別できるものではない。しかし、画線の位置関係により更に識別できないようにすることもできる。図２５は、中心点Ｐから同じ距離を持って形成された同心円万線に見えるが、実際には図２１、図２３及び図２４の模式図と同様に、三種類の領域によって構成されている。図２１の画線Ｄと同じく、８０μｍの間隔ｄ１から成る同心円万線で配置された領域ｇ１と、１００μｍの間隔ｄ２から成る同心円万線で配置された領域ｇ２と、１３０μｍの間隔ｄ３から成る同心円万線で配置された領域ｇ３とによって構成されている。
【０１０１】
図２５（ａ）の模式図は、領域ｇ１、領域ｇ２、領域ｇ３それぞれの同心円万線の中心点Ｐが等しく、かつ中心点Ｐから領域ｇ１、領域ｇ２、領域ｇ３の順にリング状に配置されたものである。まず、領域ｇ１は中心点Ｐから間隔ｄ１で形成された同心円万線である。領域ｇ１の外側に、領域ｇ１の同心円万線の間隔ｄ１と領域ｇ２の同心円万線の間隔ｄ２との平均値からなる補間間隔Ｘ１が設けられ領域ｇ２がリング状に配置される。領域ｇ２は間隔ｄ２で形成された同心円万線である。領域ｇ２の外側に、領域ｇ２の同心円万線の間隔ｄ２と領域ｇ３の同心円万線の間隔ｄ３との平均値からなる補間間隔Ｘ２が設けられ領域ｇ３がリング状に配置される。領域ｇ３は間隔ｄ３で形成された同心円万線である。
【０１０２】
一方、図２５（ｂ）の模式図は、領域ｇ３、領域ｇ２、領域ｇ１それぞれの同心円万線の中心点Ｐが等しく、かつ中心点Ｐから領域ｇ３、領域ｇ２、領域ｇ１の順にリング状に配置されたものである。まず、領域ｇ３は中心点Ｐから間隔ｄ３で形成された同心円万線である。領域ｇ３の外側に、領域ｇ３の同心円万線の間隔ｄ３と領域ｇ２の同心円万線の間隔ｄ２との平均値からなる補間間隔Ｘ２が設けられ領域ｇ２がリング状に配置される。領域ｇ２は間隔ｄ２で形成された同心円万線である。領域ｇ２の外側に、領域ｇ１の同心円万線の間隔ｄ１と領域ｇ１の同心円万線の間隔ｄ１との平均値からなる補間間隔Ｘ１が設けられ領域ｇ１がリング状に配置される。領域ｇ１は間隔ｄ１で形成された同心円万線である。
【０１０３】
これにより、図２５（ａ）及び図２５（ｂ）の画線構成は、領域ｇ１、領域ｇ２及び領域ｇ３が順にリング状に配置していながらも、それぞれの領域の境界において同心円万線が自然な連続性が保たれている。また、図２５（ａ）及び図２５（ｂ）の画線構成はそれぞれ等しく、領域ｇ１、領域ｇ２、領域ｇ３の空間周波数の特徴を明瞭に識別することができる。
【０１０４】
なお、図２５（ａ）及び図２５（ｂ）の模式図に示されたそれぞれの領域は、実施の形態１に示されたように、同心円万線の間隔ｄ１の範囲でそれぞれ個々の画線の中心線から画線幅を連続的に違えることによって連続階調が表現されるものである。
【０１０５】
つまり、図２５の同心円画線を用いた偽造防止用印刷物は、同心円万線が配置される領域が、リング状に複数分割され、複数に分割された各領域は、同一の中心点を共有する同心円万線が形成され、複数に分割された各領域の境界において、隣り合う一方の領域に備わる同心円万線の間隔と、他方の領域に備わる同心円万線の間隔との平均値からなる補間領域が設けられ、境界において同心円万線の連続性が保たれていることを特徴とする。
【０１０６】
（５）実施の形態５
上述した実施の形態１及び実施の形態２で示されたように、本発明は連続階調画像に対して、画像を含む不可視情報を付与するもので、本実施の形態５では、印刷物の発給装置について説明する。
【０１０７】
情報を付与された印刷物が示されたものである。身分証明書型の印刷物４における印刷面上の一部に、カード台紙模様９と顔写真画像部１０と模様部１１とが併せて印刷されている。模様部１１は、上述した実施の形態１乃至実施の形態４で示されたいずれか方法によって得られた印刷模様３と同様である。
【０１０８】
次に本実施の形態５に示される印刷物の発給装置について説明する。
【０１０９】
本実施の形態５における印刷物の発給装置は、図２７の組織図に示されるように、可視情報入力手段Ｍ１、第１の不可視情報入力手段Ｍ２、第２の不可視情報入力手段Ｍ３、第３の不可視情報入力手段Ｍ４、印刷手段Ｍ５、表示手段Ｍ６、編集手段Ｍ７、書式データベースＭ８及び通信インターフェースＭ９を備えている。
【０１１０】
可視情報入力手段Ｍ１は、カメラ、デジタルカメラ、スキャナ等、特に限定されるものではない。また、書式データベースＭ８又は通信インターフェースＭ９によってあらかじめ個人情報等が入力されたデータベースサーバから画像、テキスト又はカード台紙模様９等の可視情報を得ることができる。
【０１１１】
第１の不可視情報入力手段Ｍ２は、キーボード等からの入力、また、後述する書式データベースＭ８と同じパソコン内に登録されている画像又はテキストの不可視情報が入力されたデータベース、通信インターフェースＭ９によってあらかじめ不可視情報が入力された外部のデータベースサーバから不可視情報を得ることができる。
【０１１２】
第２の不可視情報入力手段Ｍ３は、キーボード等からの入力、また、後述する書式データベースＭ８と同じパソコン内に登録されている画像又はテキストの不可視情報が入力されたデータベース、通信インターフェースＭ９によってあらかじめ不可視情報が入力された外部のデータベースサーバ、又は可視情報入力手段Ｍ１から入力された可視画像情報のコピーから不可視情報を得ることができる。
【０１１３】
第３の不可視情報入力手段Ｍ４は、キーボード等からの入力、また、後述する書式データベースＭ８と同じパソコン内に登録されている画像又はテキストの不可視情報が入力されたデータベース、通信インターフェースＭ９によってあらかじめ不可視情報が入力された外部のデータベースサーバ、又は可視情報入力手段Ｍ１から入力された可視画像情報のコピーから不可視情報を得ることができる。
【０１１４】
印刷手段Ｍ５は、インクジェットプリンタ、レーザプリンタ等、特に限定されるものではない。
【０１１５】
表示手段Ｍ６は、パソコンのモニタ、専用のモニタ等、特に限定されるものではない。
【０１１６】
編集手段Ｍ７は、可視情報構成手段Ｍ７ａ、第１の不可視情報構成手段Ｍ７ｂ、第２の不可視情報構成手段Ｍ７ｃ、第３の不可視情報構成手段Ｍ７ｄ及び画像合成手段Ｍ７ｅを有する。可視情報構成手段Ｍ７ａは可視情報入力手段Ｍ１で得られた画像を所定の画線データに変換し、第１の不可視情報構成手段Ｍ７ｂは第１の不可視情報入力手段Ｍ２で得られた画像を所定の画線データに変換し、第２の不可視情報構成手段Ｍ７ｃは第２の不可視情報入力手段Ｍ３で得られた画像を所定の画線データに変換し、第３の不可視情報構成手段Ｍ７ｄは第３の不可視情報入力手段Ｍ４で得られた画像を所定の画線データに変換し、画像合成手段Ｍ７ｅは可視情報構成手段Ｍ７ａで得られた画線データと、第１の不可視情報構成手段Ｍ７ｂで得られた画線データと、第２の不可視情報構成手段Ｍ７ｃで得られた画線データ及び第３の不可視情報構成手段Ｍ７ｄで得られた画線データを合成する。
【０１１７】
書式データベースＭ８は、可視情報入力手段Ｍ１、第１の不可視情報入力手段Ｍ２、第２の不可視情報入力手段Ｍ３及び第３の不可視情報入力手段Ｍ４以外の印刷に必要なデータが格納されている。
【０１１８】
通信インターフェースＭ９は、ＲＳ−２３２Ｃ、ＩＥＥＥ１３９４等、特に限定されるものではない。
【０１１９】
本実施の形態による作製方法は、図２７に示された作製装置を用いて、図２８のフローチャートに示された処理ステップによって実行されるものである。
【０１２０】
まず、ステップｆ１では、可視画像情報入力手段Ｍ１にて本発明の真偽判別可能な印刷物の印刷画像のモチーフとなるＲＧＢカラー画像を入力する。入力されるのはビットマップ多値画像であり、画素数等に何ら制限はない。さらに、ステップｆ５に示されたカラー画像の色分解は、図２７に示された編集手段Ｍ７に含まれる可視情報構成手段Ｍ７ａによって行われる。ステップｆ５は、可視情報構成手段Ｍ７ａによって入力されたカラー画像を印刷可能な所定の色チャンネルに色分解され、所定の色チャンネルを最も明度の高い色要素と、残りの色素に区分けする。
【０１２１】
次に、ステップｆ３では、第１の不可視情報入力手段Ｍ２にて、第１の不可視情報の入力を行う。次に、第１の不可視情報構成手段Ｍ７ｂにおいて図１３に示された画線Ａ１、画線Ａ１’、画線Ａ２、画線Ａ２’、画線Ｂ１、画線Ｂ１’、画線Ｂ２、画線Ｂ２’、画線Ｅ１、画線ａ１’、画線Ｅ２、画線ａ２’の領域に配置される不可視画像が生成される。第１の不可視画像の適用は、図２７に示された、編集手段Ｍ７に含まれる画像合成手段Ｍ７ｅによって行われる。同様に、ステップｆ４では、第２の不可視情報入力手段Ｍ３にて、第２の不可視情報の入力を行う。次に、第２の不可視情報構成手段Ｍ７ｃにおいて図１３に示された画線Ａ１、画線Ａ１’、画線Ａ２、画線Ａ２’、画線Ｂ１、画線Ｂ１’、画線Ｂ２、画線Ｂ２’、画線Ｅ１、画線ａ１’、画線Ｅ２、画線ａ２’の領域に配置される不可視画像が生成される。第２の不可視画像の適用は、図２７に示された、編集手段Ｍ７に含まれる画像合成手段Ｍ７ｅによって行われる。
【０１２２】
次に、ステップｆ２では、第３の不可視情報入力手段Ｍ４にて埋め込むべき情報に応じた周波数成分が抽出されるように設定された所定の間隔を有する同心円万線の情報を入力する。例えば、入力される情報は、キーボード等からの入力、また、書式データベースＭ８と同じパソコン内に登録されている情報が入力されたデータベース（図示せず）、通信インターフェースによってあらかじめ情報が入力された外部データベースサーバ（図示せず）から情報を得ることができる。なお、同じパソコン内に登録されている情報が入力されたデータベースは、記憶手段（図示せず）に設けられ、埋め込むべき情報に応じた周波数成分が抽出されるように設定された所定の間隔を有する同心円万線の情報が保存されている。
【０１２３】
さらに、ステップｆ６では、図２７に示された編集手段Ｍ７に含まれる可視情報構成手段Ｍ７ａによって、シアン用画像とマゼンタ用画像によって形成される画線Ｃが生成され、ステップｆ７では、第２の不可視情報構成手段Ｍ７ｃによって、抽出された情報を最も明度の高い所定の色要素に同心円万線データを生成する。例えば、入力された埋め込むべき情報によって定義されたイエロー用画像のための画線Ｄが生成される。
【０１２４】
次に、ステップｆ９乃至１１において、ステップｆ５の色分解で得られた最も明度の高い所定の色要素及び残りの色素に各チャンネル出力がされる。次に、ステップｆ１３乃至１５において、ステップｆ９乃至１１で作製した各チャンネル出力を各画線に適用させる。例えば、シアン用画像は、ステップｆ９においてドキュメント・ファイルのシアンチャンネルに出力され、また、ステップｆ５の色分解で得られたマゼンタ用画像は、ステップｆ１０においてドキュメント・ファイルのマゼンタチャンネルに出力され、さらに、ステップｆ５の色分解で得られたイエロー用画像は、ステップｆ１１においてドキュメント・ファイルのイエローチャンネルに出力される。
【０１２５】
そしてさらに、ステップｆ８の画線Ａ１、画線Ａ１’、画線Ｂ１、画線Ｂ１’の生成で得られたブラック用画像は、ステップｆ１２においてドキュメント・ファイルのブラックチャンネルに出力される。ステップｆ８で得られた画線Ａ１、画線Ａ１’、画線Ｂ１、画線Ｂ１’、画線Ｅ１、画線ａ１は、ステップｆ１６においてブラックチャンネルに適用される。
【０１２６】
そして、ステップｆ６で得られた画線Ｃは、ステップｆ１３においてシアンチャンネルに適用され、ステップｆ１４においてマゼンタチャンネルに適用される。そしてさらに、ステップｆ７で得られた画線Ｄは、ステップｆ１５においてイエローチャンネルに適用される。さらに、ステップｆ８で得られた画線Ａ２、画線Ａ２’、画線Ｂ２、画線Ｂ２’、画線Ｅ２、画線ａ２はステップｆ１３乃至１５においてそれぞれ適用される。
【０１２７】
次に、図２７に示された編集手段Ｍ７に含まれる画像合成手段Ｍ７ｅによって、個々に得られた画線データを合成してドキュメント・ファイルを生成する。例えば、ステップｆ１７の各チャンネルの合成と、ステップｆ１８のドキュメント・ファイルに書き出しが行われる。こうして生成されたドキュメント・ファイルが、それぞれの色インキで基材に刷り重なることにより情報を埋め込んだカラー印刷物が得られるものである。
【０１２８】
最後に印刷手段Ｍ５によって、赤外線吸収色素を含む色材であるブラックを用いて画線Ａ１、画線Ａ１’画線Ｅ１及び画線ａ１が印刷され、赤外線吸収色素を含まない色材であるシアン、マゼンタを用いて画線Ａ２、画線Ａ２’、画線Ｅ２、画線ａ２及び画線Ｃが印刷され、赤外線吸収色素を含まない色材であるイエローを用いて画線Ａ２、画線Ａ２’、画線Ｅ２、画線ａ２及び画線Ｄが印刷される。また、顔写真画像部１０及び書式データベースＭ８から得たカード台紙模様９のその他の模様においては、赤外線吸収色素を含まない色材を用いて印刷される。
【０１２９】
図３０は、身分証明書の印刷物４において第１の判別具２及び第２の判別具６を用いて真偽判別を行っている状態が示されたものである。これにより、模様部１１を第１の真偽判別方法における第１の判別具２を用いた場合には第１の不可視情報ｉ１が可視画像となって視認でき、模様部１１を第２の真偽判別方法における第２の判別具６を用いた際には第２の不可視情報ｉ２が可視画像となって視認できる。そして、模様部１１を第３の真偽判別方法における判別装置Ｒを用いた際には第３の不可視情報ｉ３が認証できる。
【０１３０】
図３０（ａ）は、レンチキュラーレンズによる第１の判別具２を、身分証明書型の印刷物４の模様部１１に重ねた状態を示したものである。第１の判別具２によって第１の不可視情報ｉ１のタイムスタンプ情報が現れている。また、図３０（ｂ）は、赤外線視するカメラ（または光学式スキャナ）を搭載した画像入力・表示装置による第２の判別具６を用い、身分証明書型の印刷物４の模様部１１を赤外線視したものである。第２の判別具６によって第２の不可視情報ｉ２として施してあった顔写真が可視画像となって確認できる。本実施の形態３では、第２の不可視情報ｉ２として施してあった顔写真は顔写真画像部１０に示された顔写真と同じであることを確認している。すなわち、カードの偽造防止の運用例としては、第２の判別具６において、模様部１１に埋め込まれていた第２の不可視情報ｉ２が顔写真画像部１０に示された顔写真と一致を目視で確認することにより、身分証明書型の印刷物４の持ち主が本人であることが証明される。また、第１の判別具２において、模様部１１に埋め込まれていた第１の不可視情報ｉ１が発行日時のタイムスタンプ情報と一致を目視で確認することにより、身分証明書型の印刷物４が正しい日時を有する真正なものであることが証明される。さらに、図３０（ｃ）は、主に光学式スキャナ等から成る読み取り手段Ｒ１、入力手段Ｒ２、演算手段Ｒ３、表示手段Ｒ４から成る判別装置Ｒを用い、身分証明書型の印刷物４の模様部１１を光学式スキャナで画像入力し、明度の高いイエロー（Ｙ）の色インキで印刷されてあるため目視では同心円万線に備わる情報を認証するものである。判別装置Ｒにて抽出された数値からなる第３の不可視情報ｉ３を認証することにより、容易に真偽性を判別することができる。
【符号の説明】
【０１３１】
１            印刷物
２            第１の判別具
３            印刷模様
４            印刷物
５ａ            第１の不可視画像
５ｂ            第２の不可視画像
６            第２の判別具
７            不可視画像
８            中心線
９            カード台紙模様
１０            顔写真画像部
１１            模様部
１２            顔写真画像
Ａ            画線
Ｂ            画線
Ａ’            画線
Ｂ’            画線
ａ            画線
Ｅ            画線
Ａ１            赤外線吸収性色素を含まない画線
Ｂ１            赤外線吸収性色素を含まない画線
Ａ１’            赤外線吸収性色素を含まない画線
Ｂ１’            赤外線吸収性色素を含まない画線
ａ１            赤外線吸収性色素を含まない画線
ｂ１            赤外線吸収性色素を含まない画線
Ｃ            赤外線吸収性色素を含まない画線
Ｄ            赤外線吸収性色素を含まない画線
Ｅ１            赤外線吸収性色素を含まない画線
Ａ２            赤外線吸収性色素を含む画線
Ｂ２            赤外線吸収性色素を含む画線
Ａ２’            赤外線吸収性色素を含む画線
Ｂ２’            赤外線吸収性色素を含む画線
ａ２            赤外線吸収性色素を含む画線
ｂ２            赤外線吸収性色素を含む画線
Ｅ２            赤外線吸収性色素を含む画線
ｄ            間隔
ｄ１            間隔
ｄ２            間隔
ｄ３            間隔
ｇ１            領域
ｇ２            領域
ｇ３            領域
ｉ１            第１の不可視情報
ｉ２            第２の不可視情報
ｉ３            第３の不可視情報
Ｌ１            線
Ｌ２            線
Ｌ３            線
Ｌ４            線
Ｍ１            可視情報入力手段
Ｍ２            第１の不可視情報入力手段
Ｍ３            第２の不可視情報入力手段
Ｍ４            第３の不可視情報入力手段
Ｍ５            印刷手段
Ｍ６            表示手段
Ｍ７            編集手段
Ｍ７ａ            可視情報構成手段
Ｍ７ｂ            第１の不可視情報構成手段
Ｍ７ｃ            第２の不可視情報構成手段
Ｍ７ｄ            第３の不可視情報構成手段
Ｍ７ｅ            画像合成手段
Ｍ８            書式データベース
Ｍ９            通信インターフェース
Ｐ            中心点
ｑｄ１            逆空間距離
ｑｄ２            逆空間距離
ｑｄ３            逆空間距離
ｑｈ            逆空間距離
ｑｖ            逆空間距離
Ｒ            判別装置
Ｒ１            読み取り手段
Ｒ２            入力手段
Ｒ３            演算手段
Ｒ４            表示手段
Ｓ            寸法
Ｓｈ            寸法
Ｓｖ            寸法
Ｘ１            補間間隔
Ｘ２            補間間隔
【図１】
0005990791.tif 000003
【図２】
0005990791.tif 000004
【図３】
0005990791.tif 000005
【図４】
0005990791.tif 000006
【図５】
0005990791.tif 000007
【図６】
0005990791.tif 000008
【図７】
0005990791.tif 000009
【図８】
0005990791.tif 000010
【図９】
0005990791.tif 000011
【図１０】
0005990791.tif 000012
【図１１】
0005990791.tif 000013
【図１２】
0005990791.tif 000014
【図１３】
0005990791.tif 000015
【図１４】
0005990791.tif 000016
【図１５】
0005990791.tif 000017
【図１６】
0005990791.tif 000018
【図１７】
0005990791.tif 000019
【図１８】
0005990791.tif 000020
【図１９】
0005990791.tif 000021
【図２０】
0005990791.tif 000022
【図２１】
0005990791.tif 000023
【図２２】
0005990791.tif 000024
【図２３】
0005990791.tif 000025
【図２４】
0005990791.tif 000026
【図２５】
0005990791.tif 000027
【図２６】
0005990791.tif 000028
【図２７】
0005990791.tif 000029
【図２８】
0005990791.tif 000030
【図２９】
0005990791.tif 000031
【図３０】
0005990791.tif 000032